(57)【要約】【課題】ユーザに、音声通話に第３の音を提供するというサービスの利用を促すことで、広がった周波数範囲を有効活用することが可能な通話システムおよび通話方法を提供する。【解決手段】通話システム１０は、通話音声Ｖ１と、話者の音声とは異なる第３音声Ｖ３との合成データＢ１３を生成する第１音声合成部１２１と、第１音声合成部１２１によって生成された合成データＢ１３を出力する第１音声送信部１３０と、第１音声合成部１２１によって合成データＢ１３が生成されることに応じて、話者に電子価値（インセンティブ）を付与するインセンティブ付与部３２０と、を備える。【選択図】図２
2016163059.tif 000002
【特許請求の範囲】
【請求項１】
音声通話を行う通話システムであって、
前記音声通話の話者の音声と、前記話者の音声とは異なる第３の音との合成データを生成する合成手段と、
前記合成手段によって生成された合成データを出力する出力手段と、
前記合成手段によって合成データが生成されることに応じて、前記話者に電子価値を付与する付与手段と、
を備える、通話システム。
【請求項２】
前記付与手段は、前記合成データの生成に用いられた第３の音の利用履歴に基づいて、前記話者に付与する電子価値の内容を決定する、請求項１に記載の通話システム。
【請求項３】
前記付与手段は、前記合成データの生成に用いられた第３の音の種類に応じて、前記話者に付与する電子価値の内容を決定する、請求項１に記載の通話システム。
【請求項４】
音声通話を行う通話システムによって実行される通話方法であって、
前記音声通話の話者の音声と、前記話者の音声とは異なる第３の音との合成データを生成するステップと、
前記生成するステップによって生成された合成データを出力するステップと、
前記生成するステップにおいて合成データが生成されることに応じて、前記話者に電子価値を付与するステップと、
を含む、通話方法。
【発明の詳細な説明】
【技術分野】
【０００１】
本発明は、通話システムおよび通話方法に関する。
【背景技術】
【０００２】
従来より、携帯電話機などを用いた音声通話に、話者の音声（通話音声）とは別の第３の音を提供する技術が提案されている。たとえば下記特許文献１は、音声データ（通話音声）と効果音データ（第３の音）との合成音声データに対してコーデック処理（符号化など）を行う携帯電話機を開示する。符号化された合成音声データは、変調された後、アンテナから出力される。
【先行技術文献】
【特許文献】
【０００３】
【特許文献１】特開２００２−５１１１６号公報
【発明の概要】
【発明が解決しようとする課題】
【０００４】
近年、音声通話の通話品質が向上してきている。たとえば、従来の音声通話では伝送可能な通話音声の周波数範囲が３００Ｈｚ〜３．４ｋＨｚ程度であったのに対し、近年の音声通話ではその周波数範囲がたとえば５０Ｈｚ〜７ｋＨｚ程度にまで広がってきている。通話音声の周波数範囲が広がれば、上述した音声通話に提供される第３の音としてこれまでになかった低音から高音に至るさまざまな音を用いることができる。
【０００５】
このため、今後、広がった通話音声の周波数範囲を有効活用することが望まれる。しかしながら、音声通話に第３の音を提供するというサービスの利用は、現在のところそれほど普及が進んでいない。
【０００６】
また、各種企業にとっては、広がった通話音声の周波数範囲を有効活用することで、広告効果が期待される。たとえば、企業のサウンドロゴや、商品を連想させるサウンドなど、広告効果をもつ音が、第３の音としてユーザの通話中に合成されることで、企業の認知度向上や、購買意欲促進などの広告効果を得ることができる。しかしながら、第３の音の合成と企業の広告効果を結びつけるシステムは存在していない。
【０００７】
本発明は、上記問題点に鑑みてなされたものであり、ユーザに、音声通話に第３の音を提供するというサービスの利用を促すことで、広がった周波数範囲を有効活用することが可能な通話システムおよび通話方法を提供することを目的とする。
【０００８】
また、各種企業にとって広告効果をもつ音が、ユーザの音声通話中に第３の音として合成されることを実現し、その利用を促進することが可能な通話システムおよび通話方法を提供することを目的とする。
【課題を解決するための手段】
【０００９】
本発明の一態様に係る通話システムは、音声通話を行う通話システムであって、音声通話の話者の音声と、話者の音声とは異なる第３の音との合成データを生成する合成手段と、合成手段によって生成された合成データを出力する出力手段と、合成手段によって合成データが生成されることに応じて、話者に電子価値を付与する付与手段と、を備える。
【００１０】
本発明の一態様に係る通話方法は、音声通話を行う通話システムによって実行される通話方法であって、音声通話の話者の音声と、話者の音声とは異なる第３の音との合成データを生成するステップと、生成するステップによって生成された合成データを出力するステップと、生成するステップにおいて合成データが生成されることに応じて、話者に電子価値を付与するステップと、を含む。
【００１１】
上記の通話システムまたは通話方法によれば、音声通話において、話者の音声と、話者の音声とは異なる第３の音との合成データが生成されて出力される。これにより、通話音声に第３の音を提供するというサービスが実現される。ここで、話者の音声と第３の音との合成データが生成されたことに応じて、話者（つまり通話システムのユーザ）に電子価値が付与される。電子価値が付与されることによって、ユーザに、通話音声に第３の音を提供するというサービスの利用を促すことが可能になる。
【００１２】
また、付与手段は、合成データの生成に用いられた第３の音の利用履歴に基づいて、話者に付与する電子価値の内容を決定してもよい。これにより、第３の音の利用履歴（たとえば利用回数など）に基づいて、適切な内容の電子価値を話者に付与することができる。
【００１３】
また、付与手段は、合成データの生成に用いられた第３の音の種類に応じて、話者に付与する電子価値の内容を決定してもよい。これにより、第３の音の種類（たとえばどのような音声やＢＧＭであるかなど）に基づいて、適切な内容の電子価値を話者に付与することができる。
【発明の効果】
【００１４】
本発明によれば、ユーザに、音声通話に第３の音を提供するというサービスの利用を促すことで、広がった周波数範囲を有効活用することが可能になる。
【図面の簡単な説明】
【００１５】
【図１】各実施形態に共通する通話システムの概略構成を示す図である。
【図２】第１実施形態に係る通話システムの機能ブロックを示す図である。
【図３】第１音声符号化部の詳細構成を示す図である。
【図４】インセンティブリストの一例を示す図である。
【図５】インセンティブ状態の一例を示す図である。
【図６】端末およびサーバのハードウェア構成図である。
【図７】通話システムにおいて実行される処理の一例を示すフローチャートである。
【図８】変形例に係るインセンティブ付与部の機能ブロックを示す図である。
【図９】インセンティブリストの一例を示す図である。
【図１０】インセンティブリストの一例を示す図である。
【図１１】インセンティブ付与用ユーザ情報の一例を示す図である。
【図１２】図８に示すインセンティブ付与部によって実行される処理の一例を示すフローチャートである。
【図１３】第１変形例に係る音声合成部の機能ブロックを示す図である。
【図１４】図１３に示す音声合成部によって実行される処理の一例を示すフローチャートである。
【図１５】第２変形例に係る音声合成部の機能ブロックを示す図である。
【図１６】図１５に示す音声合成部によって実行される処理の一例を示すフローチャートである。
【図１７】第３変形例に係る音声合成部の機能ブロックを示す図である。
【図１８】図１７に示す音声合成部によって実行される処理の一例を示すフローチャートである。
【図１９】第４変形例に係る音声合成部の機能ブロックを示す図である。
【図２０】図１９に示す音声合成部によって実行される処理の一例を示すフローチャートである。
【図２１】第５変形例に係る音声合成部の機能ブロックを示す図である。
【図２２】図２１に示す音声合成部によって実行される処理の一例を示すフローチャートである。
【図２３】第１変形例に係る通話システムの機能ブロックを示す図である。
【図２４】通話システムにおいて実行される処理の一例を示す図である。
【図２５】第２変形例に係る通話システムの機能ブロックを示す図である。
【図２６】通話システムにおいて実行される処理の一例を示す図である。
【図２７】第３変形例に係る通話システムの機能ブロックを示す図である。
【図２８】第２実施形態に係る通話システムの機能ブロックを示す図である。
【図２９】通話システムにおいて実行される処理の一例を示す図である。
【図３０】第３実施形態に係る通話システムの機能ブロックを示す図である。
【図３１】通話システムにおいて実行される処理の一例を示す図である。
【図３２】第４実施形態に係る通話システムの機能ブロックを示す図である。
【図３３】通話システムにおいて実行される処理の一例を示す図である。
【発明を実施するための形態】
【００１６】
以下、本発明の実施形態について、図面を参照しながら説明する。なお、図面の説明において同一要素には同一符号を付し、重複する説明は省略する。
【００１７】
図１は、各実施形態に共通する通話システムの概略構成を示す図である。図１に示すように、通話システム（後述の通話システム１０等）において、ユーザ１とユーザ２との通話が行われる。通話システムでは、第１端末（後述の端末１００等）および第２端末（後述の端末２００等）が、通話装置として用いられる。ユーザ１が第１端末を利用し、ユーザ２が第２端末を利用することによって、ユーザ１とユーザ２との音声通話が実現される。
【００１８】
通話システムにおいて、たとえば端末１００および端末２００は、通信ネットワーク３を介して通信可能に構成されている。さらに、サーバ３００が、通信ネットワーク３を介して、端末１００および端末２００と通信可能に構成されている。
【００１９】
通信システムの動作概要の一例について説明する。たとえば、端末１００において一方の話者であるユーザ１の通話音声Ｖ１が入力される。そして、必要に応じて第３の音声が選択され、通話音声Ｖ１と第３音声Ｖ３との合成データが生成される。この合成データの生成は、後述するように、ユーザ操作によって手動で行われてもよいし、通話システムによって自動で行われてもよい。合成データの生成は、端末１００で行われてもよいし、サーバ３００で行われてもよい。生成された合成データは符号化された後、符号化系列として出力されて端末２００へ送信される。
【００２０】
上述の合成データの生成が手動で行われる場合は、たとえば、第３音声Ｖ３が、ユーザ１の端末１００の操作（ユーザ操作）によって選択される。ユーザ操作は、種々の音データＳ１〜Ｓ３等から、ユーザ１が希望する音を第３音声Ｖ３として選択する操作や、通話音声Ｖ１と第３音声Ｖ３との合成時の音量バランスを選択する操作や、第３音声Ｖ３の合成を停止する操作を含む。また、上述の合成データの生成が自動で行われる場合は、たとえば、ユーザ１またはユーザ２に関する情報（合成用ユーザ情報）に基づいて第３音声Ｖ３が選択され、通話音声Ｖ１と第３音声Ｖ３との合成データが生成される。具体的に、図１では、第３音声Ｖ３として、音データＳ１〜Ｓ３等の複数の音データから、話者であるユーザ１またはユーザ２の嗜好や資格等に応じた適切な音データが、第３音声Ｖ３として選択される。端末２００では、受信した符号化系列を復号することによって、通話音声Ｖ１と第３音声Ｖ３との合成データを取得することができる。取得した合成データに応じた音が出力されることによって、ユーザ２は、ユーザ１の通話音声Ｖ１だけでなく、第３音声Ｖ３も聞くことができる。同時に、ユーザ１も第３音声Ｖ３を聞くことができてもよい。
【００２１】
第３音声Ｖ３の例として、たとえばセリフなどの音声が挙げられる。ただし、第３音声Ｖ３は音声に限定されるものでなく、効果音や、ＢＧＭのような音楽であってもよい。また、第３音声Ｖ３は、企業のサウンドロゴや、商品を連想させるサウンドなど、広告効果をもつ音であってもよい。その場合、第３音声Ｖ３は広告効果を期待する企業によって提供されることが好ましい。
【００２２】
本実施形態に係る通話システムでは、扱うことのできる通話音声の周波数範囲が従来（たとえば３００Ｈｚ〜３．４ｋＨｚ）よりも広い周波数範囲であることが好ましい。たとえば、通話音声の周波数範囲、５０Ｈｚ〜７ｋＨｚ程度、あるいはそれよりも広い範囲の周波数範囲としてもよい。これにより、低音から高音に至るさまざまな音が、通話音声に用いられるだけでなく、第３音声Ｖ３としても用いられるようになる。
【００２３】
ここで、通話システムにおいては、上述の合成データが生成されたことに応じて、話者であるユーザ１および／またはユーザ２に電子価値（以下、本明細書では電子価値を「インセンティブ」という）が付与される。インセンティブの付与は、サーバ３００によって管理される。インセンティブの付与は、話者であるユーザ１等にとって、合成データを生成する、つまり音声通話に第３の音を提供するというサービスの利用を促すことにつながる。サービスの利用が増加すれば、上述の広がった周波数範囲を有効活用することが可能になる。
【００２４】
通話システムでは、ユーザ１の通話音声Ｖ１と、第３音声Ｖ３と、通話音声Ｖ１および第３音声Ｖ３の合成データとのうち少なくとも一つの特徴に応じて、通話音声Ｖ１あるいは合成データが符号化されてもよい。そのため、通話システムでは、通話音声Ｖ１と第３音声Ｖ３との合成データを調整するための調整処理が実行可能である。調整処理は、たとえば、符号化に適したデータとなるように合成データの信号の大きさやサンプリングレートなどを調整する処理や、合成データを符号化するのに適切な符号化モードを設定する処理を含む。そのような調整処理の調整結果を受けた後に符号化処理が実行されることによって、通話音声Ｖ１と第３音声Ｖ３とを合成した場合でも、通話品質が損なわれないようにすることができる。
【００２５】
［第１実施形態］
図２は、第１実施形態に係る通話システム１０の機能ブロックを示す図である。通話システム１０では、第１の通話装置である端末１００（第１端末）と、第２の通話装置である端末２００（第２端末）とによって、ユーザ１とユーザ２との通話が行われる。また、サーバ３００によって、ユーザ１等に対するインセンティブの付与が管理される。
【００２６】
図２に示すように、端末１００は、第１音声入力部１１０と、音声合成部１２０と、第１音声送信部１３０と、第３音声保持部１４０と、第２音声受信部１５０と、第２音声出力部１６０と、合成指示送信部１７０と、第１インセンティブ情報受信部１０２と、第１インセンティブ情報提示部１０４とを含む。
【００２７】
まず、端末１００に含まれる部分のうち、第１音声入力部１１０と、音声合成部１２０の一部と、第１音声送信部１３０と、第３音声保持部１４０とについて説明する。
【００２８】
第１音声入力部１１０は、一方の話者（図１のユーザ１）の通話音声Ｖ１を入力する部分（入力手段）である。第１音声入力部１１０は、たとえばマイクロフォンを含んで構成される。
【００２９】
音声合成部１２０は、音声を合成する部分であり、第１音声合成部１２１と、第１音声符号化部１２２と、合成指示部１２３と、第２音声復号部１２６とを含む。
【００３０】
まず、音声合成部１２０に含まれる部分のうち、第１音声合成部１２１と、第１音声符号化部１２２と、合成指示部１２３とについて説明する。
【００３１】
第１音声合成部１２１は、第１音声入力部１１０によって入力された通話音声Ｖ１と、通話音声Ｖ１とは異なる第３音声Ｖ３（第３の音）との合成データＢ１３を生成する部分（合成手段）である。第１音声合成部１２１は、後述の合成指示部１２３と協働することによって、合成のためのユーザ情報（合成用ユーザ情報）に基づいて、合成データＢ１３を生成する。具体的に、合成用ユーザ情報に応じて、合成指示部１２３が合成指示信号ＣＭを発生させ、その合成指示信号ＣＭが第１音声合成部１２１に入力されることによって、第１音声合成部１２１は、合成用ユーザ情報に基づく合成処理を行うことができる。合成用ユーザ情報は、端末１００内に保持されている話者であるユーザ１またはユーザ２（図１）に関する情報であり、たとえば、ユーザ１またはユーザ２のプロフィール、行動履歴、資格情報等を含む。また、合成用ユーザ情報は、ユーザ１の音声（通話音声Ｖ１）を分析することによって取得された情報（分析情報）であってもよい。一方、先に図１を参照して説明したようにユーザ操作によって第３音声Ｖ３が選択される場合には、合成指示部１２３は無くてもよい。その場合、操作盤やタッチパネルなどのデバイスがユーザ操作に応じて合成指示信号ＣＭを発生させ、その合成指示信号ＣＭが第１音声合成部１２１に入力されることによって、第１音声合成部１２１がユーザ操作に基づく合成処理行う。
【００３２】
合成データＢ１３は、たとえば、通話音声Ｖ１の音声データ（以下、単に「通話音声Ｖ１」という）と第３音声Ｖ３の音声データ（以下、単に「第３音声Ｖ３」という）とを時間軸上で重畳することによって生成することができる。あるいは、合成データＢ１３は、通話音声Ｖ１の途中に第３音声Ｖ３を挿入することによって生成してもよい。
【００３３】
第１音声合成部１２１によって合成された合成データＢ１３は、第１音声符号化部１２２に送信される。なお、合成指示信号ＣＭが第１音声合成部１２１に入力されない場合には、第１音声合成部１２１は、合成データＢ１３を生成することなく、通話音声Ｖ１を第１音声符号化部１２２に送信する。
【００３４】
第１音声符号化部１２２は、合成データＢ１３を符号化する部分である。合成データＢ１３でなく、通話音声Ｖ１が第１音声合成部１２１から送信された場合には、第１音声符号化部１２２は、通話音声Ｖ１を符号化する。
【００３５】
ここで、第１音声符号化部１２２は、通話音声Ｖ１と、第３音声Ｖ３と、合成データＢ１３と、のうち少なくとも一つの特徴に応じて合成データＢ１３を符号化しても良い。その場合の詳細な構成を図３を参照して説明する。図３の構成では、第１音声符号化部１２２は、データ調整部１２２ａと、音声信号符号化部１２２ｂとを含む。
【００３６】
データ調整部１２２ａは、合成データＢ１３（あるいは通話音声Ｖ１）を調整するための調整処理を実行する部分（データ調整手段）である。データ調整部１２２ａは、符号化モード設定部１２２ａｘの機能を用いて調整処理を実行することもできるし、音声調整部１２２ａｙの機能を用いて調整処理を実行することもできる。
【００３７】
符号化モード設定部１２２ａｘは、合成データＢ１３（あるいは通話音声Ｖ１）を符号化するための複数の符号化モードのうち、実行すべき符号化モードを設定する部分（モード設定手段）である。
【００３８】
たとえば、複数の符号化アルゴリズムを持ったコーデックの場合、第３音声Ｖ３の特徴に応じて特定のアルゴリズムを設定するとよい。すなわち、複数の符号化モードでは、異なる符号化アルゴリズムを用いた符号化が行われ、符号化モード設定部１２２ａｘは、第３音声Ｖ３の特徴に応じて符号化モードを設定することができる。たとえば、コーデックが音声の符号化に適した符号化アルゴリズムと、音楽に適した符号化アルゴリズムとで構成されている場合、第３音声Ｖ３がセリフのような音声であれば、音声の符号化に適した符号化アルゴリズムを用いることができる。また、第３音声Ｖ３が効果音やＢＧＭのような音楽であれば、音楽に適した符号化アルゴリズムを用いることができる。その場合、第３音声Ｖ３のカテゴリ（例えば、音声であるか否か、音楽であるか否か、音声であるか音楽であるか、等）を記述したテーブルを含むデータベースを予め用意しておけば、そのデータベースを参照することによって、符号化モード設定部１２２ａｘは、第３音声Ｖ３のカテゴリという特徴に応じて適切な符号化モードを設定することができる。なお、第３音声Ｖ３と符号化アルゴリズムとの組合せを記述したデータテーブルを含むデータベースを予め用意しておいてもよく、同様に、そのデータベースを参照することによって、符号化モード設定部１２２ａｘは、第３音声Ｖ３に応じて適切な符号化モードを設定することができる。そのようなデータベースは、たとえば端末１００の記憶装置（後述の図６の補助記憶装置２７など）に記憶させておくことができる。
【００３９】
また、前述のコーデックがＥＶＳ（Enhanced  Voice  Services）コーデックの場合、前述の音声の符号化に適した符号化アルゴリズムとしてＡＣＥＬＰを用いたアルゴリズムを、音楽に適した符号化アルゴリズムとしてＭＤＣＴを用いたアルゴリズムを設定してもよい。
【００４０】
また、ＤＴＸ（間欠送信）をオフにしてデータ送信を行うモードも、符号化モードの一つとすることができる。たとえば、通話音声Ｖ１のみを符号化する場合には、無音または背景雑音と判定された区間のデータレートを下げる間欠送信であっても通話品質を維持することができる。すなわち、通話音声Ｖ１が合成音声ではないという特徴に応じて、符号化モードを間欠送信に設定する。これに対し、通話音声Ｖ１および第３音声Ｖ３を符号化してデータ送信を行う場合には、通話音声Ｖ１のみを符号化してデータ送信を行う場合よりも、無音または背景雑音の区間が含まれる可能性が小さくなる。その場合、連続送信を行い、無音または背景雑音の区間と誤判定されて間欠送信が行われることによる音質劣化を回避し、通話品質を向上させることができる。すなわち、合成データＢ１３が通話音声Ｖ１および第３音声Ｖ３を合成した合成音声であるという特徴に応じて、符号化モードを連続送信に設定する。さらに例えば、通話音声Ｖ１および第３音声Ｖ３を符号化してデータ送信を行う場合においても、第３音声Ｖ３が音声である場合には間欠送信であっても通話品質を維持することができ、第３音声Ｖ３が音楽である場合には連続送信することで無音または背景雑音の区間と誤判定されて間欠送信が行われることによる音質劣化を回避できる。すなわち、第３音声Ｖ３の特徴（例えば、音声あるか否か、音楽であるか否か、音声か音楽かという特徴）に応じて、符号化モードを間欠送信または連続送信に設定する。間欠送信または連続送信を切り替えてデータ送信を行う処理は、後述の第１音声送信部１３０との協働によって実現してもよい。
【００４１】
以上説明した符号化モードの例を組み合わせた構成についても、符号化モードの一つとすることができる。たとえば、先に説明したように第３音声Ｖ３の特徴に応じた特定のアルゴリズムを設定するとともに、上述のように間欠送信をオフにしてデータ送信を行うモードも、符号化モードの一つとすることができる。
【００４２】
音声調整部１２２ａｙは、合成データＢ１３（あるいは通話音声Ｖ１）を調整する部分である。
【００４３】
たとえば、合成データＢ１３（あるいは通話音声Ｖ１）が音声信号符号化部１２２ｂの入力信号として適切になるように、合成データＢ１３（あるいは通話音声Ｖ１）の特徴に応じて調整する。たとえば、音声信号符号化部１２２ｂの入力信号の大きさに応じて、音声信号符号化部１２２ｂの入力信号の大きさを調整する。この場合、例えば、音声信号符号化部１２２ｂの入力信号が非常に大きい場合、音声信号符号化部１２２ｂの入力信号を小さくするように調整する。また、音声信号符号化部１２２ｂの入力信号のサンプリングレートに応じて、音声信号符号化部１２２ｂの入力信号のサンプリングレートを調整してもよい。この場合、例えば、音声信号符号化部１２２ｂの入力信号のサンプリングレートが音声信号符号化部１２２ｂで対応可能なサンプリングレートでない場合に、音声信号符号化部１２２ｂで対応可能なサンプリングレートに変換する。もちろん、入力信号の大きさを調整するとともに入力信号のサンプリングレートを調整することもできる。
【００４４】
音声調整部１２２ａｙで音声信号符号化部１２２ｂの入力信号として適切になるように調整することにより、音声信号符号化部１２２ｂでの符号化処理による合成データＢ１３（あるいは通話音声Ｖ１）の品質の劣化を抑制することができる。
【００４５】
音声信号符号化部１２２ｂは、データ調整部１２２ａの調整結果を受けて、通話音声Ｖ１および合成データＢ１３を符号化する部分（符号化手段）である。たとえば、音声信号符号化部１２２ｂは、符号化モード設定部１２２ａｘにより設定された符号化モードに基づき、通話音声Ｖ１および合成データＢ１３を符号化する。あるいは、音声信号符号化部１２２ｂは、音声調整部１２２ａｙにより調整された通話音声Ｖ１および合成データＢ１３を符号化する。具体的に、音声信号符号化部１２２ｂは、合成データＢ１３を符号化し、符号化系列Ｃ１３とする。あるいは、音声信号符号化部１２２ｂは、通話音声Ｖ１を符号化し、符号化系列Ｃ１とする。以下では、主に、音声信号符号化部１２２ｂによって合成データＢ１３が符号化されるものとして説明する。
【００４６】
再び図２に戻り、合成指示部１２３は、通話音声Ｖ１を受けて、合成指示信号ＣＭを発生する部分である。この合成指示部１２３は、先に図１を参照して説明したように、自動で合成データが生成される場合に用いられる。合成指示部１２３は、合成用ユーザ情報（プロフィール、行動履歴、資格情報等を含む）に基づいて、合成データＢ１３を生成するか否かを判断することができる。また、第３音声Ｖ３が、合成用ユーザ情報に応じて選択されてもよい。なお、手動（ユーザ操作）で合成データが生成される場合には合成指示部１２３は無くてもよく、その場合には、先に説明したように、合成指示信号ＣＭはたとえばユーザ操作に応じて操作盤等で発生し、第１音声合成部１２１に入力される。
【００４７】
合成指示信号ＣＭは、合成処理の実行を指示すること、後述の第３音声保持部１４０に保持されている第３音声Ｖ３のうちのどの音声を合成するかを指示すること、合成時における通話音声Ｖ１および第３音声Ｖ３の音量の割合を指示すること、合成処理の終了を指示すること等のうち、少なくとも一つを示す信号であってよい。
【００４８】
第１音声送信部１３０は、音声信号符号化部１２２ｂ（図３）によって符号化された合成データＢ１３（つまり符号化系列Ｃ１３）を出力する部分（出力手段）である。具体的に、第１音声送信部１３０は、符号化系列Ｃ１３を、後述の端末２００の第１音声受信部２１０に送信する。
【００４９】
ここで、端末２００において、第３音声Ｖ３が合成されて送られてきたことが分かるような工夫がなされてもよい。たとえば、第３音声Ｖ３を合成したことを示す情報（たとえばさらに別の音声）が合成データＢ１３にさらに合成された後に、第１音声送信部１３０から送信されてもよい。こうすることで、端末２００において、その情報に基づいて第３音声Ｖ３が合成されたことを、たとえば、ユーザ（図１のユーザ２）に提示することもできる。
【００５０】
また、第１音声送信部１３０は、間欠送信および連続送信のいずれをも実行することができる。間欠送信および連続送信は、先に説明した符号化モード設定部１２２ａｘの設定する符号化モードに応じても切り替えることができる。たとえば、第１音声送信部１３０は、音声信号符号化部１２２ｂによって通話音声Ｖ１が符号化された場合には、そのデータ（つまり符号化系列Ｃ１）の間欠送信を行う。また、音声信号符号化部１２２ｂによって合成データＢ１３が符号化された場合には、そのデータ（つまり符号化系列Ｃ１３）の連続送信を行う。間欠送信を行う場合において、音声信号符号化部１２２ｂが入力される信号に応じてデータレートを制御した（つまりデータレートを上げ下げした）データ（つまり符号化系列Ｃ１３）を生成していれば、第１音声送信部１３０は音声信号符号化部１２２ｂから入力されるデータ（つまり符号化系列Ｃ１３）をそのまま送信することで、間欠送信を実現できる。
【００５１】
第３音声保持部１４０は、種々の第３音声Ｖ３を保持（記憶）する部分（記憶手段）である。第３音声Ｖ３は、あらかじめ第３音声保持部１４０に記憶しておくことができ、さらに、端末１００がサーバ３００にアクセスして新たな音データを取得する等によって更新することができる。さらに、第３音声Ｖ３は、通話音声Ｖ１および後述する通話音声Ｖ２のうち少なくとも一方に加工処理などを施した音声を利用してもよい。加工処理などを施される通話音声は、現在の通話音声でもよく、過去の通話音声でもよい。加工処理は、たとえばエフェクト（エコーなど）をかける処理であってもよい。
【００５２】
次に、端末２００について説明すると、端末２００は、第１音声受信部２１０と、第１音声復号部２２０と、第１音声出力部２３０と、第２音声入力部２４０と、第２音声符号化部２５０と、第２音声送信部２６０とを含む。
【００５３】
第１音声受信部２１０は、端末１００の第１音声送信部１３０から送信された符号化系列Ｃ１３を受信する部分である。
【００５４】
第１音声復号部２２０は、第１音声受信部２１０が受信した符号化系列Ｃ１３を復号する部分である。先に説明したように、符号化系列Ｃ１３は、端末１００において、符号化モード設定部１２２ａｘによって設定された符号化モードで符号化されている場合もある。その場合には、第１音声復号部２２０は、符号化モード設定部１２２ａｘによって設定された符号化モードに対応する復号モードを実行する。たとえば、符号化モードに関する情報を、符号化系列Ｃ１３と同様にして端末１００から端末２００に送信することによって、第１音声復号部２２０は、対応する復号モードを実行することができる。また、符号化モードに関する情報は符号化系列Ｃ１３に含まれていてもよい。
【００５５】
第１音声出力部２３０は、第１音声復号部２２０によって復号された符号化系列Ｃ１３（つまり合成データＢ１３）に応じた音を出力する部分である。第１音声出力部２３０は、たとえばスピーカを含んで構成される。具体的に、第１音声出力部２３０は、通話音声Ｖ１および第３音声Ｖ３を出力する。これにより、ユーザ２（図１）は、ユーザ１の通話音声Ｖ１および第３音声Ｖ３を聞くことができる。
【００５６】
第２音声入力部２４０は、他方の話者（図１のユーザ２）の通話音声Ｖ２を入力する部分であり、たとえばマイクロフォンを含んで構成される。
【００５７】
第２音声符号化部２５０は、第２音声入力部２４０に入力された通話音声Ｖ２を符号化する部分である。符号化された通話音声Ｖ２は、符号化系列Ｃ２とされる。なお、第２音声符号化部２５０が実行する符号化モードは、たとえば、あらかじめ定められた符号化モードであってもよいし、先に説明した第１音声符号化部１２２のように、複数の符号化モードから選択して設定してもよい。
【００５８】
第２音声送信部２６０は、第２音声符号化部２５０によって符号化された通話音声Ｖ２（つまり符号化系列Ｃ２）を出力する部分である。具体的に、第２音声送信部２６０は、符号化系列Ｃ２を、後述の端末１００の第２音声受信部１５０に送信する。
【００５９】
次に、端末１００に含まれる部分のうち、第２音声受信部１５０と、音声合成部１２０の第２音声復号部１２６と、第２音声出力部１６０とについて説明する。
【００６０】
第２音声受信部１５０は、端末２００の第２音声送信部２６０から送信された符号化系列Ｃ２を受信する部分である。
【００６１】
第２音声復号部１２６は、第２音声受信部１５０が受信した符号化系列Ｃ２を復号する部分である。第２音声復号部１２６は、端末２００の第２音声符号化部２５０が実行する符号化モードに対応した復号モードを実行する。
【００６２】
第２音声出力部１６０は、第２音声復号部１２６によって復号された符号化系列Ｃ２（つまり通話音声Ｖ２）に応じた音を出力する部分である。第２音声出力部１６０は、たとえばスピーカを含んで構成される。具体的に、第２音声出力部１６０は、通話音声Ｖ２を出力する。これにより、ユーザ１（図１）は、ユーザ２の通話音声Ｖ２を聞くことができる。
【００６３】
次に、端末１００に含まれる部分のうち、合成指示送信部１７０について説明する。合成指示送信部１７０は、合成指示部１２３が発生した合成指示信号ＣＭを、後述のサーバ３００の合成指示受信部３１０に送信する部分である。なお、合成指示送信部１７０は、合成指示信号ＣＭに対して符号化等の処理を実行してから送信してもよい。
【００６４】
次に、サーバ３００について説明すると、サーバ３００は、合成指示受信部３１０と、インセンティブ付与部３２０と、インセンティブ付与通知生成部３３０と、インセンティブ付与通知送信部３４０とを含む。
【００６５】
合成指示受信部３１０は、端末１００の合成指示送信部１７０から送信された合成指示信号ＣＭを受信する部分である。受信した合成指示信号ＣＭは、インセンティブ付与部３２０に送信される。なお、合成指示送信部１７０が合成指示信号ＣＭに対して符号化等の処理を実行してから送信した場合は、合成指示受信部３１０は、それに対応する復号等の処理も実行する。
【００６６】
インセンティブ付与部３２０は、合成指示信号ＣＭに応じて、つまり合成データＢ１３が生成されること（合成指示信号ＣＭが発生すること）に応じて、話者であるユーザ１等に電子付加（つまりインセンティブ）を付与する部分（付与手段）である。インセンティブ付与部３２０は、インセンティブ付与判断部３２１と、インセンティブリスト保持部３２２と、インセンティブ情報制御部３２３と、インセンティブ状態保持部３２４とを含む。
【００６７】
インセンティブ付与判断部３２１は、後述のインセンティブリスト保持部３２２と合成指示信号ＣＭとを突合し、どのユーザ（たとえばユーザ１またはユーザ２）に対してどのような内容のインセンティブを付与するかを判断する部分である。インセンティブの内容は、さまざまなものが考えられる。たとえば、インセンティブは、特定の商品の購入および特定のサービスを利用するために用いることができるポイントであってよい。また、インセンティブは、特定の商品の購入時およびサービスの利用時の割引やおまけを受けられるクーポンであってもよいし、また、ゲーム進行など特定の目的に役立つ（寄与する）情報であってもよい。また、インセンティブは、利用ライセンスや、粗品、景品などであってもよい。インセンティブ付与の判断および付与するインセンティブの内容については、後に図９〜図１１を参照して詳述するが、たとえば、合成する第３音声Ｖ３の音声、合成回数、合成した時間等のうち少なくとも一つに基づいて行ってもよい。
【００６８】
インセンティブリスト保持部３２２は、インセンティブを付与するための条件と、インセンティブの内容および付与対象のリストを保持する部分である。ここで、図４を参照して、インセンティブリスト保持部３２２が保持するリスト（データテーブル）の一例について説明する。図４に示す例では、インセンティブリストは、「条件」と、「インセンティブ」と、「付与対象」とを関連付けて記述している。
【００６９】
「条件」は、インセンティブを付与するための条件を示す。たとえばここでの「条件」は、音声通話に提供される（通話音声に合成される）第３音声Ｖ３の種類（たとえば図１に示す音データＳ１〜Ｓ３等）である。図４に示す例では、「効果音１を合成」、「効果音２を合成」、「音楽１を合成」、および「音楽２を合成」の４通りの条件が示される。たとえば「効果音１を合成」との条件が満たされるか否かは、インセンティブ付与判断部３２１（図２）が合成指示信号ＣＭに基づいて行う。
【００７０】
「インセンティブ」は、インセンティブ（電子価値）の内容を示す。図４に示す例では、「ＸＸＸポイント：１０ｐｔ」および「ＸＸＸポイント：２０ｐｔ」の２通りの内容が示される。たとえば、「ＸＸＸポイント：１０ｐｔ」は、特定のサービス「ＸＸＸ」に利用できるポイントが、１０ポイントであることを示す。
【００７１】
「付与対象」は、インセンティブを付与する対象を示す。図４に示す例では、「ユーザ１」と「ユーザ１およびユーザ２」と２通りの対象が示される。
【００７２】
図４に示すインセンティブリストによると、たとえば、効果音１が第３音声Ｖ３として用いられて合成データＢ１３が生成された場合には、「効果音１を合成」との条件が満たされる。そのため、このインセンティブリストを参照したインセンティブ付与判断部３２１（図２）は、サービス「ＸＸＸ」に利用できるポイントを１０ポイント、ユーザ１に付与すべきと判断する。
【００７３】
なお、図４に示す例では「条件」として、第３音声Ｖ３の種類を挙げたが、これに代えて、たとえば第３音声Ｖ３の利用履歴を「条件」とすることもできる。これについては、後に図９を参照して説明する。
【００７４】
再び図２に戻り、インセンティブ情報制御部３２３は、インセンティブ付与情報（インセンティブ付与判断部３２１の判断結果）に基づき、対象ユーザのインセンティブ保有状態の更新を後述のインセンティブ状態保持部３２４に指示する部分である。
【００７５】
インセンティブ状態保持部３２４は、各ユーザのインセンティブ保有状態を保持する部分である。また、インセンティブ状態保持部３２４は、インセンティブ情報制御部３２３からの更新指示を受けて、各ユーザのインセンティブ保有状態を更新する部分でもある。
【００７６】
以上のようにしてインセンティブ保有状態が更新されることによって、ユーザにインセンティブを付与することができる。ここで、図５を参照して、インセンティブ状態保持部３２４が保持するインセンティブ保有状態（データテーブル）の一例について説明する。
【００７７】
図５は、インセンティブ保有状態の一例を示す。図５に示す例では、インセンティブ保有状態は、「ユーザ」と、「インセンティブ状態」とを関連付けて記述している。
【００７８】
「ユーザ」は、各ユーザを示す。図５に示す例では、「Ａ」、「Ｂ」、「Ｃ」および「Ｄ」の４人のユーザが示され、それらは、たとえば図１のユーザ１およびユーザ２に対応する。
【００７９】
「インセンティブ状態」は、各ユーザの各々に付与されたインセンティブ、つまり各ユーザが保有するインセンティブの状態を示す。図５に示す例では、「ＸＸＸポイント：２００ｐｔ保有」、「ＸＸＸポイント：３００ｐｔ保有」、「ＸＸＸポイント：１５０ｐｔ保有」および「ＸＸＸポイント：１０ｐｔ保有」の４通りの状態が示される。たとえば、「ＸＸＸポイント：２００ｐｔ保有」は、特定のサービス「ＸＸＸ」に利用できるポイントを２００ポイント保有していることを示す。このポイントは、たとえばユーザ「Ａ」に対してさらにポイントが付与されると増加する。なお、ユーザ「Ａ」がポイントを利用すると減少する。この場合は、たとえば、インセンティブ情報制御部３２３やインセンティブ状態保持部３２４が、通信ネットワーク３（図１）を介してユーザ「Ａ」が利用したポイントの情報を取得し、その分のポイントを減少するようにインセンティブ状態を更新する。
【００８０】
再び図２に戻り、インセンティブ付与通知生成部３３０は、インセンティブが付与されたこと等を通知するための情報（インセンティブ情報）を生成する部分である。インセンティブ情報には、インセンティブ状態を示す情報が含まれてよい。具体的に、インセンティブ付与通知生成部３３０は、インセンティブ情報制御部３２３からの更新指示、およびインセンティブ情報制御部３２３に保持されたインセンティブ状態に基づいて、インセンティブ情報を生成する。インセンティブ情報は、たとえば、そのユーザに付与されたインセンティブ、更新されたインセンティブ、付与されたインセンティブおよび更新されたインセンティブを利用可能な商品・サービス等のリスト、等のうち少なくとも一つを含んでもよい。
【００８１】
インセンティブ付与通知送信部３４０は、インセンティブ付与通知生成部３３０によって生成されたインセンティブ情報を送信する部分である。具体的にインセンティブ付与通知送信部３４０は、インセンティブ情報を、後述の端末１００の第１インセンティブ情報受信部１０２に送信する。
【００８２】
次に、端末１００に含まれる部分のうち、第１インセンティブ情報受信部１０２と、第１インセンティブ情報提示部１０４とについて説明する。第１インセンティブ情報受信部１０２は、インセンティブ付与通知送信部３４０から送信されたインセンティブ情報を受信する部分である。第１インセンティブ情報提示部１０４は、第１インセンティブ情報受信部１０２が受信したインセンティブ情報を端末１００のユーザ（図１のユーザ１）に提示する部分である。なお、図２において提示されるインセンティブ情報を「Ｉ」として図示している。インセンティブ情報の提示の態様はとくに限定されるものでないが、たとえば、音声、テキスト・画像等による画面への表示、インセンティブ情報が記載されたＷＥＢページへのリンクの表示、ゲームの進行への反映（たとえばゲーム中のイベントで敵を倒すようにする等）、など様々な態様が考えられる。
【００８３】
なお、第１インセンティブ情報受信部１０２によるインセンティブ付与通知の受信、および第１インセンティブ情報提示部１０４によるインセンティブ情報の提示のタイミングは、とくに限定されるものでない。たとえば、合成指示送信部１７０によって合成指示信号ＣＭが送信された都度、上述の受信および提示が行われてもよい。あるいは、音声通話に合成指示がなされた（合成指示信号ＣＭが第１音声合成部１２１に入力された）後の任意のタイミングで、上述の受信および提示が行われてもよい。また、音声通話が終了した後に、上述の受信および提示が行われてもよい。
【００８４】
このようにインセンティブ付与通知が提示されることによって、ユーザ１は、付与されたインセンティブ（あるいは自身が保有しているインセンティブ）の内容を知ることができる。
【００８５】
ここで、図６を参照して、端末１００、端末２００およびサーバ３００（ここでは、端末１００等という）のハードウェア構成について説明する。図６は、端末１００等のハードウェア構成図である。図６に示されるように、端末１００等は、物理的には、１または複数のＣＰＵ（Central  Processing  unit）２１、主記憶装置であるＲＡＭ（Random  Access  Memory）２２およびＲＯＭ（Read  Only  Memory)２３、データ送受信デバイスである通信モジュール２６、半導体メモリなどの補助記憶装置２７、操作盤（操作ボタンを含む）やタッチパネルなどのユーザの入力を受け付ける入力装置２８、ディスプレイなどの出力装置２９、などのハードウェアを備えるコンピュータとして構成することができる。図２における端末１００等の各機能は、たとえば、ＣＰＵ２１、ＲＡＭ２２などのハードウェア上に１または複数の所定のコンピュータソフトウェアを読み込ませることにより、ＣＰＵ１０１の制御のもとで通信モジュール２６、入力装置２８、出力装置２９を動作させるとともに、ＲＡＭ２２および補助記憶装置２７におけるデータの読み出しおよび書き込みを行うことで実現することができる。なお、後述の実施形態で説明する端末やサーバについても、端末１００等と同様のハードウェア構成とすることができる。
【００８６】
次に、図７を参照して、通話システム１０の動作（通話システム１０によって実行される通話方法）について説明する。図７は、通話システム１０において実行される処理の一例を示すフローチャートである。このフローチャートの処理は、たとえば、端末１００のユーザ（図１のユーザ１）と、端末２００のユーザ（図１のユーザ２）との通話中に実行される。
【００８７】
まず、端末１００において、第１の音声を入力する（ステップＳ１０１）。具体的に、端末１００の第１音声入力部１１０が、ユーザ１の通話音声Ｖ１を入力する。
【００８８】
次に、端末１００は、合成指示を生成する（ステップＳ１０２ａ）。たとえば先に説明したように、合成指示部１２３が、合成用ユーザ情報に応じた合成指示信号ＣＭを発生する。あるいは、ユーザ操作に応じて操作盤等が合成指示信号ＣＭを発生する。
【００８９】
次に、端末１００は、第３の音声を読み込む（ステップＳ１０２ｂ）。具体的に、第１音声合成部１２１が、第３音声保持部１４０に記憶されている第３音声のうち、合成用ユーザ情報に基づいて選択された第３音声Ｖ３を、第３音声保持部１４０から取得する。
【００９０】
次に、端末１００は、第１の音声と第３の音声を合成する（ステップＳ１０２ｃ）。具体的に、第１音声合成部１２１が、通話音声Ｖ１と第３音声Ｖ３との合成データＢ１３を生成する。
【００９１】
次に、端末１００は、調整処理を実行する（ステップＳ１０２ｄ）。具体的に、データ調整部１２２ａが、合成データＢ１３を調整するための調整処理を実行する。たとえば、符号化モード設定部１２２ａｘが、合成データＢ１３を符号化するために実行すべき符号化モードを設定する。あるいは、音声調整部１２２ａｙが、合成データＢ１３を調整する。端末１００が調整処理を行わない構成である場合は、ステップＳ１０２ｄはスキップしてよい。
【００９２】
次に、端末１００は、合成した音声を符号化する（ステップＳ１０２ｅ）。具体的に、音声信号符号化部１２２ｂが、先のステップＳ１０２ｄにおける調整結果を受けて、合成データＢ１３を符号化し、符号化系列Ｃ１３とする。
【００９３】
そして、端末１００は、符号化系列を送信する（ステップＳ１０３）。具体的に、第１音声送信部１３０が、符号化系列Ｃ１３を、端末２００の第１音声受信部２１０に出力（送信）する。
【００９４】
次に、端末２００は、符号化系列を受信する（ステップＳ２０１）。具体的に、第１音声受信部２１０が、端末１００の第１音声送信部１３０によって送信された符号化系列Ｃ１３を受信する。
【００９５】
次に、端末２００は、合成した音声の符号化系列を復号する（ステップＳ２０２）。具体的に、第１音声復号部２２０が、符号化系列Ｃ１３を復号し、合成データＢ１３とする。
【００９６】
そして、端末２００は、音声を出力する（ステップＳ２０３）。具体的に、第１音声出力部２３０が、合成データＢ１３に応じた音、つまり通話音声Ｖ１および第３音声Ｖ３を出力する。出力された通話音声Ｖ１および第３音声Ｖ３をユーザ２が聞くことによって、ユーザ２は通話音声Ｖ２を発する。
【００９７】
これにより、端末２００は、第２の音声を符号化する（ステップＳ２０４）。具体的に、第２音声符号化部２５０が、第２音声入力部２４０によって入力された通話音声Ｖ２を符号化し、符号化系列Ｃ２とする。
【００９８】
次に、端末２００は、符号化系列を送信する（ステップＳ２０５）。具体的に、第２音声送信部２６０が、符号化系列Ｃ２を、端末１００の第２音声受信部１５０に出力（送信）する。
【００９９】
次に、端末１００は、符号化系列を受信する（ステップＳ１０４）。具体的に、第２音声受信部１５０が、端末２００の第２音声送信部２６０にから送信された符号化系列Ｃ２を受信する。
【０１００】
次に、端末１００は、第２の音声の符号化系列を復号する（ステップＳ１０５ａ）。具体的に、第２音声復号部１２６が、符号化系列Ｃ２を復号し、通話音声Ｖ２とする。
【０１０１】
そして、端末１００は、音声を出力する（ステップＳ１０５ｂ）。具体的に、第２音声出力部１６０が、通話音声Ｖ２を出力する。これにより、ユーザ１は、通話音声Ｖ２を聞くことができる。また、ユーザ１は通話音声Ｖ１を発する。そして、端末１００は、ステップＳ１０１の処理を再び実行する。このようにして図７のフローチャートの処理が繰り返し実行されることによって、ユーザ１とユーザ２との通話が進められる。
【０１０２】
ここで、端末１００は、さらに、合成指示を送信する処理も実行する（ステップＳ１１１）。具体的に、合成指示送信部１７０が、合成指示信号ＣＭを、サーバ３００の合成指示受信部３１０に送信する。なお、図７に示す例では、ステップＳ１１１の処理はステップＳ１０２ａの処理が完了した後に開始されるが、ステップＳ１１１の処理（およびそれ以降のステップＳ１１２，Ｓ１１３の処理）が実行されるタイミングはとくに限定されるものでない。たとえばステップＳ１０２ｂ〜Ｓ１０２ｅの処理の各々と、ステップＳ１１１以降の処理とは逐次的に実行されてもよく、その際の順序は制約されない。
【０１０３】
そして、サーバ３００は、合成指示を受信する（ステップＳ３０１）。具体的に、合成指示受信部３１０が、端末１００の合成指示送信部１７０から送信された合成指示信号ＣＭを受信する。
【０１０４】
次に、サーバ３００は、インセンティブ付与を判断する（ステップＳ３０２）。具体的に、インセンティブ付与判断部３２１が、インセンティブリスト保持部３２２と合成指示信号ＣＭとを突合し、どのユーザに対してどのような内容のインセンティブを付与するかを判断する。
【０１０５】
次に、サーバ３００は、インセンティブ情報を更新する（ステップＳ３０３）。具体的に、インセンティブ情報制御部３２３が、先のステップＳ３０２の判断結果に基づき、対象ユーザのインセンティブ保有状態の更新をインセンティブ状態保持部３２４に指示する。そして、インセンティブ状態保持部３２４が、インセンティブ情報制御部３２３からの更新指示を受けて、各ユーザのインセンティブ保有状態を更新する。
【０１０６】
次に、サーバ３００は、インセンティブ情報を送信する（ステップＳ３０４）。具体的に、インセンティブ付与通知生成部３３０が、インセンティブ情報を生成する。そして、インセンティブ付与通知送信部３４０が、インセンティブ情報を、端末１００の第１インセンティブ情報受信部１０２に送信する。
【０１０７】
次に、端末１００は、インセンティブ情報を受信する（ステップＳ１１２）。具体的に、第１インセンティブ情報受信部１０２が、サーバ３００のインセンティブ付与通知送信部３４０から送信されたインセンティブ情報を受信する。
【０１０８】
次に、端末１００は、インセンティブ情報を提示する（ステップＳ１１３）。具体的に、第１インセンティブ情報提示部１０４が、第１インセンティブ情報受信部１０２が受信したインセンティブ情報を端末１００のユーザ（たとえば図１のユーザ１）に提示する。
【０１０９】
次に、通話システム１０の作用効果について説明する。通話システム１０では、音声通話の話者であるユーザ１の通話音声Ｖ１と、通話音声Ｖ１とは異なる第３音声Ｖ３との合成データＢ１３が生成され（ステップＳ１０２ｃ）、合成データＢ１３が出力される（ステップＳ１０３）。これにより、ユーザ１とユーザ２との音声通話に、第３音声Ｖ３が提供される。さらに、通話システム１０では、合成データＢ１３が生成されること（ステップＳ１０２ａ）に応じて、ユーザ１等にインセンティブが付与される（ステップＳ３０３）。このようにインセンティブが付与されることによって、ユーザ１に、音声通話に第３音声Ｖ３の音を提供するというサービスの利用を促すことが可能になる。
【０１１０】
また、インセンティブが付与されると、そのインセンティブ情報がサーバ３００から端末１００に送信され（ステップＳ３０４）、提示される（ステップＳ１１３）。これにより、ユーザ１は、インセンティブ情報を確認することができる。
【０１１１】
また、ユーザ１に付与するインセンティブの内容は、合成データＢ１３の生成に用いられた第３音声Ｖ３の利用履歴に基づいて決定されてもよい。これにより、第３音声Ｖ３の利用履歴（たとえば利用回数など）に基づいて、適切な内容のインセンティブをユーザ１に付与することができる。
【０１１２】
なお、通話システム１０において、付与されたインセンティブ情報をユーザに通知しない構成を採用してもよい。その場合は、図２に示すサーバ３００を、インセンティブ付与通知生成部３３０およびインセンティブ付与通知送信部３４０を含まない構成にしてよい。また、端末１００を、第１インセンティブ情報受信部１０２および第１インセンティブ情報提示部１０４を含まない構成にしてよい。同様の構成は、後述の他の実施形態に係る通話システムにおいても採用してよい。
【０１１３】
[インセンティブ付与部の変形例]
図８は、インセンティブ付与部３２０（図２）の変形例を示す図である。図８に示すインセンティブ付与部３２０Ａは、インセンティブ付与部３２０（図２）と比較して、インセンティブ付与判断部３２１、インセンティブリスト保持部３２２およびインセンティブ情報制御部３２３に代えて、インセンティブ付与判断部３２１Ａ、インセンティブリスト保持部３２２Ａおよびインセンティブ情報制御部３２３Ａを含み、さらにユーザ情報保持部３２５を含む点、および各要素の接続関係において相違する。
【０１１４】
ユーザ情報保持部３２５は、インセンティブ付与のための各ユーザ（たとえば図１のユーザ１およびユーザ２など）に関する情報（インセンティブ付与用ユーザ情報）を保持する部分である。インセンティブ付与用ユーザ情報は、たとえば、音声通話において合成データＢ１３が生成された回数（合成回数）や、合成データＢ１３に対応する音声が再生された時間（累計合成時間）を含む。また、インセンティブ付与用ユーザ情報は、ユーザのプロフィール（たとえばユーザの好み、希望するインセンティブのジャンル、会員ランクなど）を含んでもよい。
【０１１５】
インセンティブ付与判断部３２１Ａは、インセンティブ付与判断部３２１(図２)のようにインセンティブリスト保持部３２２と合成指示信号ＣＭとを突合するだけでなく、さらにユーザ情報保持部３２５が保持するインセンティブ付与用ユーザ情報をも考慮して、どのユーザに対してどのような内容のインセンティブを付与するかを判断する部分である。
【０１１６】
インセンティブリスト保持部３２２Ａは、インセンティブ付与用ユーザ情報を含むインセンティブリストを保持する部分である。
【０１１７】
インセンティブ情報制御部３２３Ａは、インセンティブ情報制御部３２３(図２)のようにインセンティブ状態保持部３２４が保持するインセンティブ状態を更新し、また、ユーザ情報保持部３２５が保持するインセンティブ付与用ユーザ情報も更新する部分である。
【０１１８】
ここで、図９を参照して、インセンティブリスト保持部３２２Ａが保持するリスト（データテーブル）の一例について説明する。図９に示すインセンティブリトでは、条件として、「合成回数５回／通話以上」、「累計回数１００回以上」、「合計時間１分／通話以上」および「累計時間１０分以上」の４通りの条件が示される。「合成回数５回／通話以上」は、１度の音声通話で合成データＢ１３が生成される回数が、平均で５回以上であることを示す。「累計回数１００回以上」は、これまでに合成データＢ１３の生成が１００回以上行われたことを示す。「合計時間１分／通話以上」は、１度の音声通話で合成データＢ１３に対応する音声が再生された時間が、平均で１分以上であることを示す。「累計時間１０分以上」は、これまでに合成データＢ１３に対応する音声が再生された時間が１０分以上であることを示す。すなわち、このインセンティブリストでは、合成データＢ１３の生成に用いられた第３音声Ｖ３の利用履歴が、話者であるユーザ１等に付与するインセンティブの内容を決定するための「条件」とされる。なお、「インセンティブ」および「付与対象」については先に図４を説明したものと同様であるので、ここでは説明を省略する。
【０１１９】
図１０は、インセンティブリスト保持部３２２Ａが保持するインセンティブリストの別の例を示す。このインセンティブリストは、「条件１」と「条件２」との２通りの条件と、「インセンティブ」と「付与対象」とが関連付けて記述する。
【０１２０】
「条件１」は、合成データＢ１３の生成に用いられた第３音声Ｖ３の種類である。図１０に示す例では、条件１は効果音の種類であり、「条件１」として「効果音１を合成」および「効果音２を合成」が示される。なお、「条件１」は効果音に限定されず、セリフや音楽などであってもよい。
【０１２１】
「条件２」は、インセンティブ付与用ユーザ情報である。図１０に示す例では、「条件２」はユーザの好みであり、「条件１」の各々について、２通りの「条件２」が示される。具体的に、「効果音１を合成」との「条件１」に対しては、「ジャンル：ＸＸＸポイント」および「ジャンル：ＸＸＸ新しい効果音」の２通りの「条件２」が示される。「ジャンル：ＸＸＸポイント」は、ユーザが希望するインセンティブのジャンルが、サービス「ＸＸＸ」のポイントであることを示す。また、「ジャンル：ＸＸＸ新しい効果音」は、ユーザが希望するインセンティブのジャンルが、サービス「ＸＸＸ」に関する効果音であることを示す。また、「効果音２を合成」との「条件１」に対しては、「ジャンル：ポイント」および「ジャンル：新しい効果音」の２通りの「条件２」が示される。「ジャンル：ポイント」は、ユーザが希望するインセンティブのジャンルがポイントであることを示す。また、「ジャンル：新しい効果音」は、ユーザが希望するインセンティブのジャンルが新しい効果音であることを示す。
【０１２２】
図１０に示すインセンティブリストによると、たとえば効果音１が第３音声Ｖ３として用いられて合成データＢ１３が生成された場合でも、「条件２」に応じて、インセンティブの内容（あるいは付与対象）が異なるものとされる。たとえば、「条件２」が「ジャンル：ＸＸＸポイント」の場合には、「ＸＸＸポイント：１０ｐｔ」が「ユーザ１」に付与される。また、「条件２」が「ジャンル：ＸＸＸ新しい効果音」の場合には、「効果音３」が「ユーザ１」に付与される。ここでの効果音３がユーザ１に付与されるとは、通話システム１０においてユーザ１が利用できる第３音声Ｖ３の選択肢として効果音３が新たに追加されることである。
【０１２３】
さらには、条件２はユーザの好みに関して記述されてもよく、例えば、ユーザの好みについて「音楽ジャンル：ＹＹＹ」と記述された場合、インセンティブ付与用ユーザ情報にはユーザの好きな音楽ジャンルに関する情報が含まれており、それが音楽ジャンル「ＹＹＹ」と整合する場合に、インセンティブリストの「付与対象」に記載のユーザに「インセンティブ」に記載のインセンティブが付与される。
【０１２４】
さらには、条件２はユーザの会員ランクに関して記述されてもよく、例えば、ユーザの会員ランクについて「会員ランク：ＺＺＺ以上」と記述された場合、インセンティブ付与用ユーザ情報にはユーザの会員ランクに関する情報が含まれており、それが会員ランク「ＺＺＺ」以上と整合する場合に、インセンティブリストの「付与対象」に記載のユーザに「インセンティブ」に記載のインセンティブが付与される。
【０１２５】
図１０の例では条件は２通りであるが、３通り以上の条件を組み合わせたリストであってもよい。
【０１２６】
またここで、図１１を参照して、ユーザ情報保持部３２５が保持するインセンティブ付与用ユーザ情報（データテーブル）の一例について説明する。図１１に示す例では、インセンティブ付与用ユーザ情報は、「ユーザ」と、「現在の会話での合成回数」と、「過去の累計合成回数」と、「現在の会話での合成時間」と、「過去の累計合成時間」と、「希望するインセンティブのジャンル」と、「会員ランク」とを関連付けて記述する。
【０１２７】
「ユーザ」については、先に図５を参照して説明したとおりである。「現在の会話での合成回数」は、音声通話が行われている場合に、その音声通話において合成データＢ１３が生成された回数を示す。「過去の累計合成回数」は、これまでに合成データＢ１３が生成された回数を示す。「現在の会話での合成時間」は、音声通話が行われている場合に、その音声通話において合成データＢ１３に対応する音声が再生された時間を示す。「過去の累計合成時間」は、これまでに合成データＢ１３に対応する音声が再生された時間を示す。「希望するインセンティブのジャンル」は、そのユーザが希望するインセンティブのジャンルを示す。「会員ランク」は、例えば、あるサービスの利用者がその利用状況に応じて設定されるランクであり、利用頻度が高いユーザほどランクが高く設定されてもよい。
【０１２８】
ユーザ情報保持部３２５が保持する図１１に示すようなインセンティブ付与用ユーザ情報と、インセンティブリスト保持部３２２Ａが保持する図９および図１０に示すようなインセンティブリストとを、インセンティブ付与判断部３２１Ａが参照することによって、インセンティブ付与用ユーザ情報に基づいて、話者であるユーザ１等に付与するインセンティブの内容が決定される。ここで、第３音声Ｖ３が、広告効果が期待される音である場合、図１１に示すような情報を効果音ごと、あるいは特定の企業にとって広告効果が期待される音である場合は、図１１に示すような情報を企業ごとに保持することで、各効果音によって得られた広告効果、あるいは企業が得た広告効果の大きさを測定することができる。たとえば、合成回数や合成時間が多い効果音はより大きな広告効果をもたらしているとし、それらの効果音によって広告効果が得られる企業は、より大きな広告効果を得られているとすることができる。各企業が得た広告効果が測定されている場合、各ユーザ（図１１におけるユーザＡ、Ｂ、Ｃ、Ｄに相当）に付与されるインセンティブは、測定された広告効果の大きさに基づいて、各企業から提供されることが好ましい。
【０１２９】
上記、広告効果の測定は、必ずしもユーザ情報保持部３２５で行われる必要はなく、ユーザ情報保持部３２５とは独立した広告効果測定部（図示せず）を具備する構成であってもよい。
【０１３０】
インセンティブ付与部３２０Ａ（図８）を採用した場合には、たとえば、先に説明した図７に示すフローチャートにおいて、サーバ３００は、図１２に示す処理を実行する。
【０１３１】
すなわち、サーバ３００は、ステップＳ３０４の処理が完了した後に、インセンティブ付与用ユーザ情報を更新する（ステップＳ３０５）。具体的に、インセンティブ情報制御部３２３Ａが、先のステップＳ３０２の判断結果（インセンティブ付与情報）に基づき、対象ユーザのインセンティブ付与用ユーザ情報の更新をユーザ情報保持部３２５に指示する。そして、ユーザ情報保持部３２５が、インセンティブ情報制御部３２３Ａからの更新指示を受けて、各ユーザのインセンティブ付与用ユーザ情報を更新する。
【０１３２】
インセンティブ付与部３２０Ａによれば、インセンティブ付与用ユーザ情報に基づいて、話者であるユーザ１等に付与するインセンティブの内容を決定することができる。これにより、たとえば、第３音声Ｖ３の利用履歴（利用回数など）に基づいて、適切な内容のインセンティブをユーザ１等に付与することができる。また、インセンティブ付与部３２０Ａによれば、インセンティブ付与用ユーザ情報に基づいて、第３音声Ｖ３の合成によって得られる広告効果の大きさを、効果音ごとあるいは企業ごとに測定することができる。
【０１３３】
［音声合成部の第１変形例］
図１３は、音声合成部１２０（図２）の変形例を示す図である。図１３に示す音声合成部１２０Ａは、音声合成部１２０（図２）と比較して、第１音声合成部１２１を含まない一方で第２音声合成部１２７を含む点、および各要素の接続関係において相違する。
【０１３４】
第２音声合成部１２７は、合成指示信号ＣＭに基づいて、通話音声Ｖ２と第３音声Ｖ３との合成データＢ２３を生成する部分である。
【０１３５】
第２音声合成部１２７によって生成された合成データＢ２３は、第２音声出力部１６０（図２）に送信され、通話音声Ｖ２および第３音声Ｖ３として出力される。
【０１３６】
音声合成部１２０Ａを採用した場合には、たとえば、先に説明した図７に示すフローチャートのステップＳ１０２およびステップＳ１０５において、図１４に示す処理が実行される。
【０１３７】
ステップＳ１０２において、まず、先に図７を参照して説明したステップＳ１０２ａおよびステップＳ１０２ｂの処理が実行される。すなわち、端末１００は、合成指示を生成し（ステップＳ１０２ａ）、第３の音声を読み込む（ステップＳ１０２ｂ）。なお、ステップＳ１０２ｂにおいて読み込まれた第３の音声は、後述のステップＳ１０５ｃで用いられる。次に、端末１００は、第１の音声を符号化する（ステップＳ１０２ｆ）。具体的に、音声信号符号化部１２２ｂが、通話音声Ｖ１を符号化し、符号化系列Ｃ１とする。
【０１３８】
また、ステップＳ１０５において、まず、先に図７を参照して説明したステップＳ１０５ａの処理が実行される。すなわち、端末１００は、第２の音声の符号化系列を復号する（ステップＳ１０５ａ）。次に、端末１００は、復号した第２の音声と第３の音声を合成する（ステップＳ１０５ｃ）。具体的に、第２音声合成部１２７が、通話音声Ｖ２と第３音声Ｖ３との合成データＢ２３を生成する。そして、先に図７を参照して説明したステップＳ１０５ｂの処理が実行される。すなわち、端末１００は、音声を出力する（ステップＳ１０５ｂ）。
【０１３９】
音声合成部１２０Ａによれば、ユーザ１は、ユーザ２の通話音声Ｖ２だけでなく、第３音声Ｖ３も聞くことができる。これにより、ユーザ１は、選択された第３音声Ｖ３を確認することができる。たとえば、音声合成部１２０と音声合成部１２０Ａを切り替えて使用することで、ユーザ１が通話音声Ｖ１に第３音声Ｖ３を合成する前に、第３音声Ｖ３をプレビューすることができる。
【０１４０】
［音声合成部の第２変形例］
図１５は、音声合成部１２０（図２）の別の変形例を示す図である。図１５に示す音声合成部１２０Ｂは、音声合成部１２０（図２）と比較して、第２音声合成部１２７をさらに含む点、および各要素の接続関係において相違する。
【０１４１】
音声合成部１２０Ｂでは、第１音声合成部１２１によって通話音声Ｖ１と第３音声Ｖ３との合成データＢ１３が生成され、さらに、第２音声合成部１２７によって通話音声Ｖ２と第３音声Ｖ３との合成データＢ２３が生成される。
【０１４２】
音声合成部１２０Ｂを採用した場合には、たとえば、先に説明した図７に示すフローチャートのステップＳ１０２およびステップＳ１０５において、図１６に示す処理が実行される。
【０１４３】
ステップＳ１０２において、先に図７を参照して説明したステップＳ１０２ａ〜Ｓ１０２ｅの処理が実行される。すなわち、端末１００は、合成指示を生成し（ステップＳ１０２ａ）、第３の音声を読み込み（ステップＳ１０２ｂ）、第１の音声と第３の音声を合成し（ステップＳ１０２ｃ）、調整処理を実行し（ステップＳ１０２ｄ）、合成した音声を符号化する（ステップＳ１０２ｅ）。端末１００が調整処理を行わない構成である場合は、ステップＳ１０２ｄはスキップしてよい。
【０１４４】
また、ステップＳ１０５において、先に図７および図１４を参照して説明したステップＳ１０５ａ，Ｓ１０５ｃ，Ｓ１０５ｂの処理が実行される。すなわち、端末１００は、第２の音声の符号化系列を復号し（ステップＳ１０５ａ）、復号した第２の音声と第３の音声を合成し（ステップＳ１０５ｃ）、音声を出力する（ステップＳ１０５ｂ）。
【０１４５】
音声合成部１２０Ｂによれば、ユーザ２はユーザ１の通話音声Ｖ１および第３音声Ｖ３を聞くことができ、さらに、ユーザ１はユーザ２の通話音声Ｖ２および第３音声Ｖ３を聞くことができる。
【０１４６】
［音声合成部の第３変形例］
図１７は、音声合成部１２０（図２）の別の変形例を示す図である。図１７に示す音声合成部１２０Ｃは、音声合成部１２０（図２）と比較して、各要素の接続関係において相違する。
【０１４７】
音声合成部１２０Ｃでは、合成指示部１２３は、第２音声復号部１２６からの通話音声Ｖ２を受けて合成指示信号ＣＭを発生する。そして、第１音声合成部１２１によって通話音声Ｖ１と第３音声Ｖ３との合成データＢ１３が生成される。
【０１４８】
音声合成部１２０Ｃを採用した場合には、たとえば、先に説明した図７に示すフローチャートのステップＳ１０２およびステップＳ１０５において、図１８に示す処理が実行される。
【０１４９】
ステップＳ１０２において、後述のステップＳ１０５ｅにおいて読み込まれた第３の音声を用いて、先に図７を参照して説明したステップＳ１０２ｃ〜Ｓ１０２ｅの処理が実行される。すなわち、端末１００は、第１の音声と第３の音声を合成し（ステップＳ１０２ｃ）、調整処理を実行し（ステップＳ１０２ｄ）、合成した音声を符号化する（ステップＳ１０２ｅ）。なお、端末１００が調整処理を行わない構成である場合は、ステップＳ１０２ｄはスキップしてよい。
【０１５０】
また、ステップＳ１０５において、まず、先に図７を参照して説明したステップＳ１０５ａの処理が実行される。すなわち、端末１００は、第２の音声の符号化系列を復号する（ステップＳ１０５ａ）。次に、端末１００は、合成指示を生成する（ステップＳ１０５ｄ）。具体的に、合成指示部１２３が、ユーザ情報（たとえばユーザ２の通話音声Ｖ２）に応じた合成指示信号ＣＭを発生する。なお、この合成指示信号ＣＭは、合成指示送信部１７０によってサーバ３００の合成指示受信部３１０に送信される。次に、端末１００は、第３の音声を読み込む（ステップＳ１０５ｅ）。具体的に、第１音声合成部１２１が、第３音声保持部１４０に記憶されている第３音声のうち、選択された第３音声Ｖ３を、第３音声保持部１４０から取得する。そして、先に図７を参照して説明したステップＳ１０５ｂの処理が実行される。すなわち、端末１００は、音声を出力する（ステップＳ１０５ｂ）。
【０１５１】
音声合成部１２０Ｃによれば、ユーザ１の端末１００において、ユーザ２の通話音声Ｖ２を受けたことに応じて（ユーザ２の情報に応じて）、通話音声Ｖ１と第３音声Ｖ３との合成データＢ１３が生成されて出力される。これにより、ユーザ２は、ユーザ１の通話音声Ｖ１および第３音声Ｖ３を聞くことができる。
【０１５２】
［音声合成部の第４変形例］
図１９は、音声合成部１２０（図２）の別の変形例を示す図である。図１９に示す音声合成部１２０Ｄは、音声合成部１２０（図２）と比較して、第１音声合成部１２１を含まない一方で第２音声合成部１２７を含む点、および各要素の接続関係において相違する。
【０１５３】
音声合成部１２０Ｄでは、合成指示部１２３は、第２音声復号部１２６からの通話音声Ｖ２を受けて合成指示信号ＣＭを発生する。そして、第２音声合成部１２７によって通話音声Ｖ２と第３音声Ｖ３とが合成されて出力される。
【０１５４】
音声合成部１２０Ｄを採用した場合には、たとえば、先に説明した図７に示すフローチャートのステップＳ１０２およびステップＳ１０５において、図２０に示す処理が実行される。
【０１５５】
ステップＳ１０２において、先に図１４を参照して説明したステップＳ１０２ｆの処理が実行される。すなわち、端末１００は、第１の音声を符号化する（ステップＳ１０２ｆ）。
【０１５６】
また、ステップＳ１０５において、先に図７、図１６および図１８を参照して説明したステップＳ１０５ａ，Ｓ１０５ｄ，１０５ｅ，１０５ｃ，１０５ｂの処理が実行される。すなわち、端末１００は、第２の音声の符号化系列を復号し（ステップＳ１０５ａ）、合成指示を生成し（ステップＳ１０５ｄ）、第３の音声を読み込み（ステップＳ１０５ｅ）、復号した第２の音声と第３の音声を合成し（ステップＳ１０５ｃ）、音声を出力する（ステップＳ１０５ｂ）。
【０１５７】
音声合成部１２０Ｄによれば、ユーザ１の端末１００において、ユーザ２の通話音声Ｖ２を受けたことに応じて（ユーザ２の情報に応じて）、通話音声Ｖ２と第３音声Ｖ３とが合成されて出力される。これにより、ユーザ１は、ユーザ２の通話音声Ｖ２および第３音声Ｖ３を聞くことができる。
【０１５８】
［音声合成部の第５変形例］
図２１は、音声合成部１２０（図２）の別の変形例を示す図である。図２１に示す音声合成部１２０Ｅは、音声合成部１２０（図２）と比較して、合成指示部１２３を含まない一方で、第１合成指示部１２３１と、第２合成指示部１２３２と、第２音声合成部１２７とを含む点、および各要素の接続関係において相違する。
【０１５９】
第１合成指示部１２３１は、通話音声Ｖ１を受けて、合成指示信号ＣＭ１を発生する部分である。発生した合成指示信号ＣＭ１は、第１音声合成部１２１に入力される。そして、第１音声合成部１２１によって通話音声Ｖ２と第３音声Ｖ３との合成データＢ１３が生成される。第２合成指示部１２３２は、通話音声Ｖ２を受けて、合成指示信号ＣＭ２を発生する部分である。発生した合成指示信号ＣＭ２は、第２音声合成部１２７に入力される。そして、第２音声合成部１２７によって通話音声Ｖ２と第３音声Ｖ３とが合成されて出力される。第１合成指示部１２３１および第２合成指示部１２３２によって発生した合成指示信号ＣＭ１および合成指示信号ＣＭ２は、合成指示送信部１７０（図２）にも送信される。なお、第１合成指示部１２３１および第２合成指示部１２３２は一つの要素で構成されていてもよい。
【０１６０】
音声合成部１２０Ｅを採用した場合には、たとえば、先に説明した図７に示すフローチャートのステップＳ１０２およびステップＳ１０５において、図２２に示す処理が実行される。
【０１６１】
ステップＳ１０２において、先に図７を参照して説明したステップＳ１０２ａ〜Ｓ１０２ｅの処理が実行される。すなわち、端末１００は、合成指示を生成し（ステップＳ１０２ａ）、第３の音声を読み込み（ステップＳ１０２ｂ）、第１の音声と第３の音声を合成し（ステップＳ１０２ｃ）、調整処理を実行し（ステップＳ１０２ｄ）、合成した音声を符号化する（ステップＳ１０２ｅ）。なお、ステップＳ１０２ａの処理は、第１合成指示部１２３１によって実行される。また、端末１００が調整処理を行わない構成である場合は、ステップＳ１０２ｄはスキップしてよい。
【０１６２】
また、ステップＳ１０５において、先に図２０を参照して説明したステップＳ１０５ａ，Ｓ１０５ｄ，Ｓ１０５ｅ，Ｓ１０５ｃ，Ｓ１０５ｂの処理が実行される。すなわち、端末１００は、第２の音声の符号化系列を復号し（ステップＳ１０５ａ）、合成指示を生成し（ステップＳ１０５ｄ）、第３の音声を読み込み（ステップＳ１０５ｅ）、復号した第２の音声と第３の音声を合成し（ステップＳ１０５ｃ）、音声を出力する（ステップＳ１０５ｂ）。なお、ステップＳ１０５ｄの処理は、第２合成指示部１２３２によって実行される。
【０１６３】
先に図２１を参照して説明したように、第１合成指示部１２３１および第２合成指示部１２３２が一つの要素で構成される場合には、それによって、ステップＳ１０２ａ，Ｓ１０２ｂおよびステップＳ１０５ｄ，Ｓ１０５ｅの処理が実行されてもよい。
【０１６４】
音声合成部１２０Ｅによれば、ユーザ１の端末１００において、ユーザ２の通話音声Ｖ２を受けたことに応じて、通話音声Ｖ１と第３音声Ｖ３との合成データＢ１３が生成されて出力されるとともに、通話音声Ｖ２と第３音声Ｖ３とが合成されて出力される。これにより、ユーザ２はユーザ１の通話音声Ｖ１および第３音声Ｖ３を聞くことができ、さらに、ユーザ１はユーザ２の通話音声Ｖ２および第３音声Ｖ３を聞くことができる。
【０１６５】
[通話システムの第１変形例]
図２３は、変形例に係る通話システム１０Ｘの機能ブロックを示す図である。通話システム１０Ｘは、端末１００Ｘと、端末２００Ｘと、サーバ３００Ｘとを含む。通話システム１０Ｘでは、サーバ３００Ｘのインセンティブ付与通知生成部３３０によって生成されたインセンティブ情報は、第２端末である端末２００Ｘに送信されて提示される。
【０１６６】
端末１００Ｘは、端末１００（図２）と比較して、第１インセンティブ情報受信部１０２および第１インセンティブ情報提示部１０４を含まない点において相違する。
【０１６７】
サーバ３００Ｘは、サーバ３００（図２）と比較して、インセンティブ付与通知送信部３４０に代えてインセンティブ付与通知送信部３４０Ｘを含む点で相違する。
【０１６８】
インセンティブ付与通知送信部３４０Ｘは、インセンティブ付与通知生成部３３０によって生成されたインセンティブ情報を、後述の端末２００Ｘの第２インセンティブ情報受信部２０２に送信する部分である。
【０１６９】
端末２００Ｘは、端末２００（図２）と比較して、第２インセンティブ情報受信部２０２および第２インセンティブ情報提示部２０４をさらに含む点において相違する。
【０１７０】
第２インセンティブ情報受信部２０２は、インセンティブ付与通知送信部３４０Ｘから送信されたインセンティブ情報を受信する部分である。第２インセンティブ情報提示部２０４は、第２インセンティブ情報受信部２０２が受信したインセンティブ情報を端末２００Ｘのユーザ（図１のユーザ２）に提示する部分である。第２インセンティブ情報提示部２０４によるインセンティブ情報の提示は、先に図２を参照して説明した端末１００の第１インセンティブ情報提示部１０４と同様に行われてよい。
【０１７１】
次に、図２４を参照して、通話システム１０Ｘの動作について説明する。図２４は、通話システム１０Ｘにおいて実行される処理の一例を示すフローチャートである。このフローチャートの処理は、たとえば、端末１００Ｘのユーザ（たとえば図１のユーザ１）と、端末２００Ｘのユーザ（図１のユーザ２）との通話中に実行される。
【０１７２】
まず、先に図７を参照して説明したステップＳ１０１〜Ｓ１０３の処理が実行される。すなわち、端末１００Ｘにおいて第１の音声を入力する（ステップＳ１０１）。そして、端末１００Ｘは、合成指示を生成し（ステップＳ１０２Ｘ）、第３の音声を読み込み（ステップＳ１０２ｂ）、第１の音声と第３の音声を合成し（ステップＳ１０２ｃ）、調整処理を実行し（ステップＳ１０２ｄ）、合成した音声を符号化し（ステップＳ１０２ｅ）、符号化系列を送信する（ステップＳ１０３）。なお、端末１００Ｘが調整処理を行わない構成である場合は、ステップＳ１０２ｄはスキップしてよい。
【０１７３】
また、先に図７を参照して説明したステップＳ２０１〜Ｓ２０５の処理が実行される。すなわち、端末２００Ｘは、符号化系列を受信し（ステップＳ２０１）、合成した音声の符号化系列を復号し（ステップＳ２０２）、音声を出力する（ステップＳ２０３）。また、端末２００Ｘは、第２の音声を符号化し（ステップＳ２０４）、符号化系列を送信する（ステップＳ２０５）。
【０１７４】
また、先に図７を参照して説明したステップＳ１０４〜Ｓ１０５ｂの処理が実行される。すなわち、端末１００Ｘは、符号化系列を受信し（ステップＳ１０４）、第２の音声の符号化系列を復号し（ステップＳ１０５Ｘ）、音声を出力する（ステップＳ１０５ｂ）。
【０１７５】
また、先に図７を参照して説明したステップＳ１１１の処理が実行される。すなわち、端末１００Ｘは、合成指示を送信する（ステップＳ１１１）。
【０１７６】
次に、先に図７を参照して説明したステップＳ３０１〜Ｓ３０３の処理が実行される。すなわち、サーバ３００Ｘは、合成指示を受信し（ステップＳ３０１）、インセンティブ付与を判断し（ステップＳ３０２）、インセンティブ情報を更新する（ステップＳ３０３）。
【０１７７】
次に、サーバ３００Ｘは、インセンティブ情報を送信する（ステップＳ３０４ａ）。具体的に、ここでは、インセンティブ付与通知生成部３３０Ｘが、インセンティブ情報を、端末２００Ｘの第２インセンティブ情報受信部２０２に送信する。
【０１７８】
次に、端末２００Ｘは、インセンティブ情報を受信する（ステップＳ２０６）。具体的に、第２インセンティブ情報受信部２０２が、サーバ３００Ｘのインセンティブ付与通知送信部３４０Ｘから送信されたインセンティブ情報を受信する。
【０１７９】
次に、端末２００Ｘは、インセンティブ情報を提示する（ステップＳ２０７）。具体的に、第２インセンティブ情報提示部２０４が、第２インセンティブ情報受信部２０２が受信したインセンティブ情報を端末２００のユーザ（たとえば図１のユーザ２）に提示する。
【０１８０】
次に、通話システム１０Ｘの作用効果について説明する。通話システム１０Ｘでは、サーバ３００Ｘのインセンティブ付与通知生成部３３０によって生成されたインセンティブ情報は、第２端末である端末２００Ｘに送信され（ステップＳ３０４ａ）、提示される（ステップＳ２０７）。これにより、ユーザ２は、インセンティブ情報を確認することができる。
【０１８１】
[通話システムの第２変形例]
図２５は変形例に係る通話システム１０Ｙの機能ブロックを示す図である。通話システム１０Ｙは、端末１００と、端末２００Ａと、サーバ３００Ｙとを含む。通話システム１０Ｙでは、サーバ３００Ｙのインセンティブ付与通知生成部３３０によって生成されたインセンティブ情報は、第１端末である端末１００および第２端末である端末２００Ａに送信されて提示される。なお、端末１００および端末２００については、先に図２および図２４を参照して説明したので、ここでは説明を省略する。
【０１８２】
サーバ３００Ｙは、サーバ３００(図２)と比較して、インセンティブ付与通知送信部３４０に代えてインセンティブ付与通知送信部３４０Ｙを含む点において相違する。
【０１８３】
インセンティブ付与通知送信部３４０Ｙは、インセンティブ付与通知生成部３３０によって生成されたインセンティブ情報を、端末１００の第１インセンティブ情報受信部１０２および端末２００Ｘの第２インセンティブ情報受信部２０２に送信する部分である。
【０１８４】
次に、図２６を参照して、通話システム１０Ｙの動作について説明する。図２７は、通話システム１０Ｙにおいて実行される処理の一例を示すフローチャートである。このフローチャートの処理は、たとえば、端末１００のユーザ（図１のユーザ１）と、端末２００Ａのユーザ（図１のユーザ２）との通話中に実行される。
【０１８５】
図２６に示すフローチャートにおいて、端末１００によって実行される処理は先に説明した図７に示す処理（ステップＳ１０１〜Ｓ１１３）と同じであり、端末２００Ａによって実行される処理は先に説明した図２４に示す処理（ステップＳ２０１〜Ｓ２０７）と同じであるので、ここでは説明を省略する。
【０１８６】
サーバ３００Ｙは、図７に示すステップＳ３０１〜Ｓ３０４と、図２５に示すステップＳ３０４ａとを、実行する。すなわち、サーバ３００Ｙは、合成指示を受信し（ステップＳ３０１）、インセンティブ付与を判断し（ステップＳ３０２）、インセンティブ情報を更新する（ステップＳ３０３）。そして、インセンティブ情報を、端末１００に送信し（ステップＳ３０４）、また、端末２００Ｘにも送信する（ステップＳ３０４ａ）。
【０１８７】
次に、通話システム１０Ｙの作用効果について説明する。通話システム１０Ｙでは、サーバ３００Ｙのインセンティブ付与通知生成部３３０によって生成されたインセンティブ情報は、第１端末である端末１００に送信され（ステップＳ３０４）、提示される（ステップＳ１１３）。さらに、インセンティブ情報は、第２端末である端末２００Ｘにも送信され（ステップＳ３０４ａ）、提示される（ステップＳ２０７）。これにより、ユーザ１およびユーザ２はいずれも、インセンティブ情報を確認することができる。
【０１８８】
[通話システムの第３変形例]
図２７は、端末１００(図２)の変形例を示す図である。図２７に示す端末１００Ｚは、端末１００（図２）と比較して、第１インセンティブ情報受信部１０２および第１インセンティブ情報提示部１０４に代えて第１インセンティブ情報受信部１０２Ｚを含み、音声合成部１２０に代えて音声合成部１２０Ｚを含む点、および各要素の接続関係において相違する。
【０１８９】
第１インセンティブ情報受信部１０２Ｚは、情報受信部１０２ａおよびインセンティブ情報音声生成部１０２ｂを含む。情報受信部１０２ａは、サーバ３００のインセンティブ付与通知送信部３４０から送信されるインセンティブ情報を受信する部分である。インセンティブ情報音声生成部１０２ｂは、情報受信部１０２ａが受信したインセンティブ情報に基づいて、インセンティブ情報に対応するインセンティブ情報音声ＶＩを生成する部分である。
【０１９０】
音声合成部１２０Ｚは、第１音声符号化部１２２と、合成指示部１２３と、第２音声復号部１２６と、第２音声合成部１２７Ｚとを含む。第１音声符号化部１２２、合成指示部１２３および第２音声復号部１２６については先に図２を参照して説明したので、ここでは説明を省略する。
【０１９１】
第２音声合成部１２７Ｚは、先に図１３等を参照して説明した第２音声合成部１２７と同様に、合成指示信号ＣＭに基づいて、通話音声Ｖ２と第３音声Ｖ３との合成データＢ２３を生成する機能を有する。さらに、第２音声合成部１２７Ｚは、インセンティブ情報音声生成部１０２ｂからのインセンティブ情報音声ＶＩも合成する。すなわち、第２音声合成部１２７Ｚは、合成指示信号ＣＭに基づいて、通話音声Ｖ２と第３音声Ｖ３とインセンティブ情報音声ＶＩとの合成データＢ２３Ｉを生成する。この場合、第２音声出力部１６０は、合成データＢ２３Ｉに応じた音（通話音声Ｖ２＋第３音声Ｖ３＋インセンティブ情報音声ＶＩ）を出力する。
【０１９２】
通話システム１０Ｚによれば、端末１００Ｚにおいて、インセンティブ情報音声ＶＩと通話音声Ｖ２（および第３音声Ｖ３）との合成データＢ２３Ｉを生成し、それを出力することによって、インセンティブ情報音声ＶＩをユーザに提示する。このようにしても、ユーザ１はインセンティブ情報を確認することができる。
【０１９３】
なお、端末１００は、第１インセンティブ情報受信部１０２Ｚと、第２音声合成部１２７Ｚのインセンティブ情報音声ＶＩと通話音声Ｖ２（および第３音声Ｖ３）との合成データＢ２３Ｉを生成する機能を有する第２音声合成部を有してもよい。この場合、第２音声出力部１６０は、通話音声Ｖ２、もしくは合成データＢ２３Ｉに応じた音（通話音声Ｖ２＋第３音声Ｖ３＋インセンティブ情報音声ＶＩ）を出力する。これにより、通話音声Ｖ２に第３音声Ｖ３を合成しない場合においても、ユーザ１はインセンティブ情報を確認することができる。
【０１９４】
[第２実施形態]
図２８は、第２実施形態に係る通話システム１０Ａの機能ブロックを示す図である。通話システム１０Ａでは、第１の通話装置である端末１００Ａ（第１端末）と、サーバ３００と、第２の通話装置である端末２００（第２端末）とによって、ユーザ１とユーザ２（図１）との音声通話が実現される。また、サーバ４００によって、ユーザ１等に対するインセンティブの付与が管理される。さらに、通話システム１０Ａでは、第３音声Ｖ３がサーバ４００で保持される。
【０１９５】
端末１００Ａは、端末１００（図２）と比較して、第３音声保持部１４０を含まない一方で、第３音声受信部１８０および第３音声復号部１９０を含む点において相違する。合成指示送信部１７０、第３音声受信部１８０、および第３音声復号部１９０は、サーバ４００にアクセスすることによって第３音声Ｖ３を取得する取得手段として機能する。
【０１９６】
サーバ４００は、サーバ３００（図２）と比較して、第３音声符号化部４２０と、第３音声送信部４３０と、第３音声保持部４４０とをさらに含む点において相違する。
【０１９７】
第３音声符号化部４２０は、合成指示受信部３１０が受信した合成指示信号ＣＭに応じた第３音声Ｖ３を後述の第３音声保持部４４０から取得し、取得した第３音声Ｖ３を符号化する部分である。
【０１９８】
第３音声送信部４３０は、第３音声符号化部４２０によって符号化された第３音声Ｖ３（つまり符号化系列Ｃ３）を、端末１００Ａの第３音声受信部１８０に送信する部分である。
【０１９９】
第３音声保持部４４０は、先に図２を参照して説明した第３音声保持部１４０と同様に、種々の第３音声Ｖ３のデータを保持（記憶）する部分（記憶手段）である。
【０２００】
次に、端末１００Ａに含まれる部分のうち、第３音声受信部１８０と、第３音声復号部１９０とについて説明する。
【０２０１】
第３音声受信部１８０は、サーバ４００の第３音声送信部４３０から送信された符号化系列Ｃ３を受信する部分である。
【０２０２】
第３音声復号部１９０は、第３音声受信部１８０が受信した符号化系列Ｃ３を復号する部分である。復号された符号化系列Ｃ３（つまり第３音声Ｖ３）は、第１音声合成部１２１に送信される。
【０２０３】
通話システム１０Ａのその他の部分については、先に図２を参照して説明した通話システム１０の対応する部分と同様であるので、ここでは説明を省略する。
【０２０４】
次に、図２９を参照して、通話システム１０Ａの動作について説明する。このフローチャートの処理は、たとえば、端末１００Ａのユーザ（図１のユーザ１）と、端末２００のユーザ（図１のユーザ２）との通話中に実行される。
【０２０５】
まず、先に図７を参照して説明したステップＳ１０１およびステップＳ１０２ａと同様の処理が実行される。すなわち、端末１００Ａにおいて第１の音声を入力し（ステップＳ４０１）、端末１００Ａは合成指示を生成する（ステップＳ４０２）。
【０２０６】
さらに、端末１００Ａは、合成指示を送信する（ステップＳ４０３）。具体的に、合成指示送信部１７０が、合成指示信号ＣＭを、サーバ４００の合成指示受信部３１０に送信する。
【０２０７】
次に、先に図７を参照して説明したステップＳ３０１と同様の処理が実行される。すなわち、サーバ４００は、合成指示を受信する（ステップＳ５０１）。
【０２０８】
次に、サーバ４００は、第３の音声を読み込む（ステップＳ５０２）。具体的に、第３音声符号化部４２０が、合成指示信号ＣＭに応じた第３音声Ｖ３を、第３音声保持部４４０から取得する。
【０２０９】
次に、サーバ４００は、第３の音声を符号化する（ステップＳ５０３）。具体的に、第３音声符号化部４２０が、第３音声Ｖ３を符号化し、符号化系列Ｃ３とする。
【０２１０】
そして、サーバ４００は、符号化系列を送信する（ステップＳ５０４）。具体的に、第３音声送信部４３０が、符号化系列Ｃ３を、端末１００Ａの第３音声受信部１８０に送信する。
【０２１１】
また、先に図７を参照して説明したステップＳ３０２〜Ｓ３０４と同様の処理が実行される。すなわち、サーバ５００は、インセンティブ付与を判断し（ステップＳ５１１）、インセンティブ情報を更新し（ステップＳ５１２）、インセンティブ情報を送信する（ステップＳ５１３）。なお、図２９に示す例では、ステップＳ５１１の処理はステップＳ５０１の処理が完了した後に開始されるが、ステップＳ５１１の処理（およびそれ以降のステップＳ５１２，Ｓ５１３の処理）が実行されるタイミングはとくに限定されるものでない。たとえばステップＳ５０２〜Ｓ５０４の処理の各々と、ステップＳ５１１以降の処理とは逐次的に実行されてもよく、その際の順序は制約されない。
【０２１２】
次に、端末１００Ａは、符号化系列を受信する（ステップＳ４０４）。具体的に、第３音声受信部１８０が、サーバ４００の第３音声送信部４３０から送信された符号化系列Ｃ３を受信する。
【０２１３】
次に、端末１００Ａは、第３の音声の符号化系列を復号する（ステップＳ４０５）。具体的に、第３音声復号部１９０が、符号化系列Ｃ３を復号する。
【０２１４】
次に、先に図７を参照して説明したステップＳ１０２ｃ〜Ｓ１０２ｅおよびステップＳ１０３と同様の処理が実行される。すなわち、端末１００Ａは、第１の音声と復号した第３の音声を合成し（ステップＳ４０６ａ）、調整処理を実行し（ステップＳ４０６ｂ）、合成した音声を符号化し（ステップＳ４０６ｃ）、符号化系列を送信する（ステップＳ４０７）。
【０２１５】
次に、先に図７を参照して説明したステップＳ２０１〜Ｓ２０５の処理が実行される。すなわち、端末２００は、符号化系列を受信し（ステップＳ２０１）、合成した音声の符号化系列を復号し（ステップＳ２０２）、音声を出力し（ステップＳ２０３）する。また、端末２００は、第２の音声を符号化し（ステップＳ２０４）、符号化系列を送信する（ステップＳ２０５）。
【０２１６】
次に、先に図７を参照して説明したステップＳ１０４、ステップＳ１０５ａおよびステップＳ１０５ｂと同様の処理が実行される。すなわち、端末１００Ａは、符号化系列を受信し（ステップＳ４０８）、第２の音声の符号化系列を復号し（ステップＳ４０９ａ）、音声を出力する（ステップＳ４０９ｂ）。
【０２１７】
また、先に図７を参照して説明したステップＳ１１２およびステップＳ１１３と同様の処理が実行される。すなわち、端末１００Ａは、インセンティブ情報を受信し（ステップＳ４１１）、インセンティブ情報を提示する（ステップＳ４１２）。なお、図２９に示す例では、ステップＳ４１１の処理はステップＳ４０３の処理が完了した後に開始されるが、ステップＳ４１１の処理（およびそれ以降のステップＳ４１２の処理）が実行されるタイミングは特に限定されるものでない。たとえばステップＳ４０４〜Ｓ４０６ｃの処理の各々と、ステップＳ１１１以降の処理とは逐次的に実行されてもよく、その際の順序は制約されない。
【０２１８】
次に、通話システム１０Ａの作用効果について説明する。まず、通話システム１０Ａでも、通話システム１０（図２）と同様に、音声通話の話者であるユーザ１の通話音声Ｖ１と、通話音声Ｖ１とは異なる第３音声Ｖ３との合成データＢ１３が生成され（ステップＳ４０６ａ）、合成データＢ１３が出力される（ステップＳ４０７）。これにより、ユーザ１とユーザ２との音声通話に、第３音声Ｖ３が提供される。また、通話システム１０Ａでも、通話システム１０（図２）と同様に、合成データＢ１３が生成されること（ステップＳ４０２）に応じて、ユーザ１等にインセンティブが付与される（ステップＳ５１２）。このようにインセンティブが付与されることによって、ユーザ１に、音声通話に第３音声Ｖ３の音を提供するというサービスの利用を促すことが可能になる。
【０２１９】
さらに、通話システム１０Ａでは、端末１００Ａがサーバ４００にアクセスすることによって、第３音声Ｖ３を取得する（ステップＳ４０３，Ｓ４０４）。この処理は、合成指示送信部１７０、第３音声受信部１８０および第３音声復号部１９０等の取得手段によって実行される。サーバ４００では、端末１００Ａよりも多くのデータを保持することが容易である。第３音声Ｖ３をサーバ４００が保持することによって、たとえば、端末１００Ａが第３音声Ｖ３を保持しておく場合よりも、より多くの音を第３音声Ｖ３として選択することができる。
【０２２０】
［音声合成部の第１変形例］
端末１００Ａにおいても、先に図１３を参照して説明した音声合成部１２０Ａを採用することもできる。音声合成部１２０Ａの詳細については、先に図１３および図１４を参照して説明したので、ここでは説明を省略する。
【０２２１】
［音声合成部の第２変形例］
また、端末１００Ａにおいても、先に図１５を参照して説明した音声合成部１２０Ｂを採用することもできる。音声合成部１２０Ｂの詳細については、先に図１５および図１６を参照して説明したので、ここでは説明を省略する。
【０２２２】
［音声合成部の第３変形例］
また、端末１００Ａにおいても、先に図１７を参照して説明した音声合成部１２０Ｃを採用することもできる。音声合成部１２０Ｃの詳細については、先に図１７および図１８を参照して説明したので、ここでは説明を省略する。
【０２２３】
［音声合成部の第４変形例］
また、端末１００Ａにおいても、先に図１９を参照して説明した音声合成部１２０Ｄを採用することもできる。音声合成部１２０Ｄの詳細については、先に図１９および図２０を参照して説明したので、ここでは説明を省略する。
【０２２４】
［音声合成部の第５変形例］
また、端末１００Ａにおいても、先に図２１を参照して説明した音声合成部１２０Ｅを採用することもできる。音声合成部１２０Ｅの詳細については、先に図２１および図２２を参照して説明したので、ここでは説明を省略する。
【０２２５】
［通話システムの第１変形例］
また、通話システム１０Ａも、先に図２３を参照して説明した通話システム１０Ｘと同様の変形例とすることができる。その場合、図２８において、たとえば、インセンティブ付与通知送信部３４０、端末１００Ａおよび端末２００に代えて、インセンティブ付与通知送信部３４０Ｘ、端末１００Ｘおよび端末２００Ｘ（図２３）が採用される。インセンティブ付与通知送信部３４０Ｘ、端末１００Ｘおよび端末２００Ｘの詳細については、先に図２３および図２４を参照して説明したので、ここでは説明を省略する。
【０２２６】
［通話システムの第２変形例］
また、通話システム１０Ａも、先に図２５を参照して説明した通話システム１０Ｙと同様の変形例とすることができる。その場合、図２８において、たとえば、インセンティブ付与通知送信部３４０および端末２００に代えて、インセンティブ付与通知送信部３４０Ｙおよび端末２００Ｘ（図２５）が採用される。インセンティブ付与通知送信部３４０Ｙおよび端末２００Ｘの詳細については、先に図２５および図２６を参照して説明したので、ここでは説明を省略する。
【０２２７】
［第３実施形態］
図３０は、第３実施形態に係る通話システム１０Ｂの機能ブロックを示す図である。通話システム１０Ｂでは、第１の通話装置である端末１００Ｂ（第１端末）と、サーバ５００と、第２の通話装置である端末２００Ｂ（第２端末）とによって、ユーザ１とユーザ２（図１）との音声通話が実現される。通話システム１０Ｂでは、合成指示信号ＣＭを生成するための処理は端末１００Ｂにおいて実行され、通話音声Ｖ１と第３音声Ｖ３との合成データＢ１３を生成するための処理はサーバ５００で実行される。
【０２２８】
端末１００Ｂは、端末１００（図２）と比較して、第１音声合成部１２１および第３音声保持部１４０を含まず、第２音声受信部１５０に代えて、第４音声受信部１９５を含む点において相違する。
【０２２９】
サーバ５００について説明すると、サーバ５００は、サーバ４００（図２８）と比較して、第３音声保持部４４０に代えて第３音声保持部５４０を含み、さらに第１音声受信部５２０と、音声合成部５３０と、第３音声送信部５５０と、第２音声受信部５６０と、第４音声送信部５７０とを含む点において相違する。
【０２３０】
第１音声受信部５２０は、端末１００Ｂの第１音声送信部１３０から送信された符号化系列Ｃ１を受信する部分である。
【０２３１】
音声合成部５３０は、音声を合成する部分であり、第１音声復号部５３１と、第１音声合成部５３２と、第３音声符号化部５３３とを含む。
【０２３２】
第１音声復号部５３１は、第１音声受信部５２０が受信した符号化系列Ｃ１を復号する部分である。
【０２３３】
第１音声合成部５３２は、合成指示信号ＣＭに基づいて、第３音声Ｖ３を後述の第３音声保持部５４０から取得し、通話音声Ｖ１と第３音声Ｖ３との合成データＢ１３を生成する部分（合成手段）である。
【０２３４】
第３音声符号化部５３３は、第１音声合成部５３２によって生成された合成データＢ１３を符号化する部分である。ここで、第３音声符号化部５３３は、通話音声Ｖ１と、第３音声Ｖ３と、合成データＢ１３と、のうち少なくとも一つの特徴に応じて合成データＢ１３を符号化しても良い。その場合の詳細な構成を図３を参照して説明する。図３の構成では、第３音声符号化部５３３は、データ調整部５３３ａと、音声信号符号化部５３３ｂとを含む。データ調整部５３３ａは、合成データＢ１３（あるいは通話音声Ｖ１）を調整するための調整処理を実行する部分（データ調整手段）である。データ調整部５３３ａによる調整処理は、先に説明したデータ調整部１２２ａと同様に実行される。すなわち、データ調整部５３３ａは、符号化モード設定部５３３ａｘおよび音声調整部５３３ａｙを含み、それらは、先に説明した符号化モード設定部１２２ａｘおよび音声調整部１２２ａｙと同様の機能を有する。また、音声信号符号化部５３３ｂは、データ調整部５３３ａの調整結果を受けて通話音声Ｖ１および合成データＢ１３を符号化する部分（符号化手段）である。
【０２３５】
再び図３０に戻り、第３音声保持部５４０は、先に図２を参照して説明した第３音声保持部１４０と同様に、種々の第３音声Ｖ３のデータを保持（記憶）する部分（記憶手段）である。したがって、第３音声Ｖ３は、通話音声Ｖ１および通話音声Ｖ２のうち少なくとも一方に加工処理などを施した音声を利用してもよい。加工処理などを施される通話音声は、現在の通話音声でもよく、過去の通話音声でもよい。
【０２３６】
第３音声送信部５５０は、第３音声符号化部５３３によって符号化された合成データＢ１３（符号化系列Ｃ１３）を、後述の端末２００Ｂの第３音声受信部２７０に送信する部分である。
【０２３７】
次に、端末２００Ｂについて説明すると、端末２００Ｂは、端末２００（図２）と比較して、第１音声受信部２１０に代えて第３音声受信部２７０を含む点において相違する。
【０２３８】
第３音声受信部２７０は、サーバ５００の第３音声送信部５５０から送信される符号化系列Ｃ１３を受信する部分である。第３音声受信部２７０が受信した符号化系列Ｃ１３は、第１音声復号部２２０によって復号されて合成データＢ１３とされる。合成データＢ１３は第１音声出力部２３０によって、通話音声Ｖ１および第３音声Ｖ３として出力される。
【０２３９】
また、端末２００Ｂにおいて、第２音声入力部２４０に通話音声Ｖ２が入力されると、通話音声Ｖ２が第２音声符号化部２５０によって符号化されて符号化系列Ｃ２とされる。符号化系列Ｃ２は、第２音声送信部２６０によって、サーバ５００の第２音声受信部５６０に送信される。
【０２４０】
次に、サーバ５００に含まれる部分のうち、第２音声受信部５６０および第４音声送信部５７０について説明する。
【０２４１】
第２音声受信部５６０は、端末２００Ｂの第２音声送信部２６０から送信された符号化系列Ｃ２を受信する部分である。
【０２４２】
第４音声送信部５７０は、第２音声受信部５６０が受信した第２音声のデータを、符号化系列Ｃ４として端末１００Ｂの第４音声受信部１９５に送信する部分である。なお、符号化系列Ｃ２および符号化系列Ｃ４は同じあってもよいし、異なっていてもよい。符号化系列Ｃ２および符号化系列Ｃ４が同じである場合には、第３音声送信部４５０は、第２音声受信部４６０が受信した符号化系列Ｃ２をそのまま端末１００Ｂの第４音声受信部１９５に送信する。
【０２４３】
本実施形態においては、第２音声受信部５６０および第４音声送信部５７０はサーバ５００になくてもよい。すなわち、サーバ５００とは異なるサーバにあってもよいし、第２音声送信部２６０から送信された符号化系列Ｃ２を、そのまま端末１００Ｂの第４音声受信部１９５が受信してもよい。
【０２４４】
次に、端末１００Ｂに含まれる部分のうち、第４音声受信部１９５について説明すると、第４音声受信部１９５は、サーバ５００の第４音声送信部５７０から送信された符号化系列Ｃ４を受信する部分である。
【０２４５】
次に、図３１を参照して、通話システム１０Ｃの動作について説明する。このフローチャートの処理は、たとえば、端末１００Ｂのユーザ（図１のユーザ１）と、端末２００Ｂのユーザ（図１のユーザ２）との通話中に実行される。
【０２４６】
まず、先に図７を参照して説明したステップＳ１０１と同様の処理が実行される。すなわち、端末１００Ｂにおいて、第１の音声を入力する（ステップＳ６０１）。
【０２４７】
次に、端末１００Ｂは、第１の音声を符号化する（ステップＳ６０２）。具体的に、第１音声符号化部１２２が、先のステップＳ６０１において入力された通話音声Ｖ１を符号化する。
【０２４８】
次に、端末１００Ｂは、符号化系列を送信する（ステップＳ６０３）。具体的に、第１音声送信部１３０が、符号化系列Ｃ１を、サーバ５００の合成指示受信部３１０に送信する。
【０２４９】
また、端末１００Ｂは、合成指示を生成する（ステップＳ６０４）。具体的に、端末１００Ｂの合成指示部１２３が、ユーザ情報に応じた合成指示信号ＣＭを発生する。
【０２５０】
また、端末１００Ｂは、合成指示を送信する（ステップＳ６０５）。具体的に、合成指示送信部１７０が、合成指示信号ＣＭを、サーバ５００の合成指示受信部３１０に送信する。
【０２５１】
次に、サーバ５００は、符号化系列を受信する（ステップＳ７０１）。具体的に、第１音声受信部５２０が、端末１００Ｂの第１音声送信部１３０から送信された符号化系列Ｃ１を受信する。
【０２５２】
また、サーバ５００は、合成指示を受信する（ステップＳ７０２）。具体的に、合成指示受信部３１０が、端末１００Ｂの合成指示送信部１７０から送信された合成指示信号ＣＭを受信する。
【０２５３】
次に、サーバ５００は、第３の音声を読み込む（ステップＳ７０３）。具体的に、第１音声合成部５３２が、合成指示信号ＣＭに基づいて、第３音声Ｖ３を第３音声保持部５４０から取得する。
【０２５４】
次に、サーバ５００は、第１の音声の符号化系列を復号する（ステップＳ７０４ａ）。具体的に、第１音声復号部５３１が、符号化系列Ｃ１を復号する。
【０２５５】
次に、サーバ５００は、復号した第１の音声と第３の音声を合成する（ステップＳ７０４ｂ）。具体的に、第１音声合成部５３２が、通話音声Ｖ１と第３音声Ｖ３との合成データＢ１３を生成する。
【０２５６】
次に、サーバ５００は、調整処理を実行する（ステップＳ７０４ｃ）。具体的に、データ調整部５３３ａ（図３）が、合成データＢ１３を調整するための調整処理を実行する。なお、サーバ５００が調整処理を行わない構成である場合は、ステップＳ７０４ｃはスキップしてよい。
【０２５７】
次に、サーバ５００は、合成した音声を符号化する（ステップＳ７０４ｄ）。具体的に、第３音声符号化部５３３が、先のステップＳ７０４ｃにおける調整結果を受けて、合成データＢ１３を符号化する。
【０２５８】
そして、サーバ５００は、符号化系列を送信する（ステップＳ７０５）。具体的に、第３音声送信部５５０が、符号化系列Ｃ１３を、端末２００Ｂの第３音声受信部２７０に送信する。
【０２５９】
次に、端末２００Ｂは、符号化系列を受信する（ステップＳ２０１ａ）。具体的に、第３音声受信部２７０が、符号化系列Ｃ１３を受信する。
【０２６０】
次に、先に図７を参照して説明したステップＳ２０２〜Ｓ２０５と同様の処理が実行される。すなわち、端末２００Ｂは、合成した音声の符号化系列を復号し（ステップＳ２０２）、音声を出力する（ステップＳ２０３）。また、端末２００Ｂは、第２の音声を符号化し（ステップＳ２０４）、符号化系列を送信する（ステップＳ２０５）。
【０２６１】
次に、サーバ５００は、符号化系列を受信する（ステップＳ７０６）。具体的に、第２音声受信部５６０が、符号化系列Ｃ２を受信する。
【０２６２】
そして、サーバ５００は、符号化系列を送信する（ステップＳ７０７）。具体的に、第４音声送信部５７０が、符号化系列Ｃ４を、端末１００Ｂの第４音声受信部１９５に送信する。
【０２６３】
また、先に図７を参照して説明したステップＳ３０２〜Ｓ３０４と同様の処理が実行される。すなわち、サーバ５００は、インセンティブ付与を判断し（ステップＳ７１１）、インセンティブ情報を更新し（ステップＳ７１２）、インセンティブ情報を送信する（ステップＳ７１３）。なお、図３１に示す例では、ステップＳ７１１の処理はステップＳ７０３の処理が完了した後、ステップＳ７０４ａの処理が実行される前に開始されるが、ステップＳ７１１の処理（およびそれ以降のステップＳ７１２，Ｓ７１３の処理）が実行されるタイミングはとくに限定されるものでない。たとえばステップＳ７０４ａ〜Ｓ７０５の処理の各々と、ステップＳ７１１以降の処理とは逐次的に実行されてもよく、その際の順序は制約されない。
【０２６４】
そして、先に図７を参照して説明したステップＳ１０４、ステップＳ１０５ａおよびステップＳ１０５ｂと同様の処理が実行される。すなわち、端末１００Ｂは、符号化系列を受信し（ステップＳ６０６）、第２の音声の符号化系列を復号し（ステップＳ６０７）、音声を出力する（ステップＳ６０８）。
【０２６５】
また、先に図７を参照して説明したステップＳ１１２およびステップＳ１１３と同様の処理が実行される。すなわち、端末１００Ｂは、インセンティブ情報を受信し（ステップＳ６１１）、インセンティブ情報を提示する（ステップＳ６１２）。
【０２６６】
次に、通話システム１０Ｂの作用効果について説明する。まず、通話システム１０Ｂでも、通話システム１０（図２）と同様に、音声通話の話者であるユーザ１の通話音声Ｖ１と、通話音声Ｖ１とは異なる第３音声Ｖ３との合成データＢ１３が生成され（ステップＳ７０４ｂ）、合成データＢ１３が出力される（ステップＳ７０５）。これにより、ユーザ１とユーザ２との音声通話に、第３音声Ｖ３が提供される。また、通話システム１０Ｂでも、通話システム１０（図２）と同様に、合成データＢ１３が生成されること（ステップＳ６０４）に応じて、ユーザ１等にインセンティブが付与される（ステップＳ７１２）。このようにインセンティブが付与されることによって、ユーザ１に、音声通話に第３音声Ｖ３の音を提供するというサービスの利用を促すことが可能になる。
【０２６７】
さらに、通話システム１０Ｂでは、サーバ５００において、第１音声合成部５３２が、端末１００Ｂから送信される通話音声Ｖ１および合成指示信号ＣＭに基づいて、第３音声Ｖ３と通話音声Ｖ１との合成データＢ１３を生成し（ステップＳ７０４ｂ）、データ調整部５３３ａが、通話音声Ｖ１および合成データＢ１３を調整するための調整処理を実行し（ステップＳ７０４ｃ）、音声信号符号化部５３３ｂが、データ調整部５３３ａの調整結果を受けて通話音声Ｖ１および合成データＢ１３を符号化して符号化系列Ｃ１３とし（ステップＳ７０４ｄ）、第３音声送信部５５０が、符号化系列Ｃ１３を出力（送信）する（ステップＳ７０５）。通話システム１０Ｂによれば、合成データＢ１３を生成するための合成処理をサーバ５００で実行するので、たとえば、端末１００Ｂで合成処理を実行する場合よりも、端末１００Ｂにおける第３音声Ｖ３の受信や合成にかかる演算負荷を抑制して使用時間を延ばすことができる。また、合成前に第３音声Ｖ３を送信するために必要な符号化処理に伴う音質低下を避けることができ、これにより高音質なまま第３音声の合成を行うことができる。
【０２６８】
［通話システムの第１変形例］
通話システム１０Ｂも、先に図２３を参照して説明した通話システム１０Ｘと同様の変形例とすることができる。その場合、図３０において、たとえば、インセンティブ付与通知送信部３４０に代えて、インセンティブ付与通知送信部３４０Ｘ（図２３）が採用され、さらに、端末２００Ｂが第２インセンティブ情報受信部２０２および第２インセンティブ情報提示部２０４（図２３）を含むように変形される。インセンティブ付与通知送信部３４０Ｘ、第２インセンティブ情報受信部２０２および第２インセンティブ情報提示部２０４の詳細については、先に図２３および図２４を参照して説明したので、ここでは説明を省略する。
【０２６９】
［通話システムの第２変形例］
また、通話システム１０Ｂも、先に図２５を参照して説明した通話システム１０Ｙと同様の変形例とすることができる。その場合、図３０において、たとえば、インセンティブ付与通知送信部３４０に代えて、インセンティブ付与通知送信部３４０Ｙ（図２５）が採用され、さらに端末２００Ｂが第２インセンティブ情報受信部２０２および第２インセンティブ情報提示部２０４を含むように変形される。インセンティブ付与通知送信部３４０Ｙ、第２インセンティブ情報受信部２０２および第２インセンティブ情報提示部２０４の詳細については、先に図２５および図２６を参照して説明したので、ここでは説明を省略する。
【０２７０】
［第４実施形態］
図３２は、第４実施形態に係る通話システム１０Ｃの機能ブロックを示す図である。通話システム１０Ｃでは、第１の通話装置である端末１００Ｃ（第１端末）と、サーバ６００と、第２の通話装置である端末２００Ｂ（第２端末）とによって、ユーザ１とユーザ２（図１）との音声通話が実現される。通話システム１０Ｂでは、合成指示信号ＣＭを生成するための処理と、通話音声Ｖ１および第３音声Ｖ３の合成データＢ１３を生成するための処理とは、いずれもサーバ６００で実行される。
【０２７１】
端末１００Ｃは、端末１００Ｂ（図３０）と比較して、合成指示部１２３および合成指示送信部１７０を含まない点において相違する。
【０２７２】
通話システム１０Ｃにおいては、端末１００Ｃの第１音声送信部１３０は、符号化系列Ｃ１を後述のサーバ６００の第１音声受信部６１０に送信する。
【０２７３】
サーバ６００について説明すると、サーバ６００は、第１音声受信部６１０と、音声合成部６３０と、第３音声保持部６４０と、第３音声送信部６５０と、第２音声受信部６６０と、第４音声送信部６７０とを含む。第３音声保持部６４０、第３音声送信部６５０、第２音声受信部６６０および第４音声送信部６７０については、サーバ５００（図３０）の第３音声保持部５４０、第３音声送信部５５０、第２音声受信部５６０および第４音声送信部５７０と同様であるので、ここでは説明を省略する。
【０２７４】
第１音声受信部６１０は、端末１００Ｃの第１音声送信部１３０から送信された符号化系列Ｃ１を受信する部分である。第１音声受信部６１０が受信した符号化系列Ｃ１は、音声合成部６３０の第１音声復号部６２０に送信される。
【０２７５】
音声合成部６３０は、第１音声復号部６２０と、第１音声合成部６３１と、第３音声符号化部６３２と、合成指示部６３３とを含む。第１音声復号部６２０および第１音声合成部６３１については、サーバ５００の第１音声復号部５３１および第１音声合成部５３２と同様であるので、ここでは説明を省略する。
【０２７６】
第３音声符号化部６３２は、第１音声合成部６３１によって生成された合成データＢ１３を符号化する部分である。ここで、第３音声符号化部６３２は、通話音声Ｖ１と、第３音声Ｖ３と、合成データＢ１３と、のうち少なくとも一つの特徴に応じて合成データＢ１３を符号化しても良い。その場合の詳細な構成を図３を参照して説明する。図３の構成では、第３音声符号化部６３２は、データ調整部６３２ａと、音声信号符号化部６３２ｂとを含む。データ調整部６３２ａは、合成データＢ１３（あるいは通話音声Ｖ１）を調整するための調整処理を実行する部分（データ調整手段）である。データ調整部６３２ａによる調整処理は、先に説明したデータ調整部１２２ａと同様に実行される。すなわち、データ調整部６３２ａは、符号化モード設定部６３２ａｘおよび音声調整部６３２ａｙを含み、それらは、先に説明した符号化モード設定部１２２ａｘおよび音声調整部１２２ａｙと同様の機能を有する。また、音声信号符号化部６３２ｂは、データ調整部６３２ａの調整結果を受けて通話音声Ｖ１および合成データＢ１３を符号化する部分（符号化手段）である。
【０２７７】
再び図３２に戻り、合成指示部６３３は、第１音声復号部６２０によって復号された符号化系列Ｃ１（つまり通話音声Ｖ１）を受けて、合成指示信号ＣＭを発生する部分である。合成指示部６３３は、先に図２を参照して説明した合成指示部１２３と同様の機能を含んでいてもよい。合成指示部６３３によって発生した合成指示信号ＣＭは、第１音声合成部６３１に送信される。
【０２７８】
通話システム１０Ｃのその他の部分については、先に図３０を参照して説明した通話システム１０Ｂの対応する部分と同様であるので、ここでは説明を省略する。
【０２７９】
次に、図３３を参照して、通話システム１０Ｃの動作について説明する。図３３は、通話システム１０Ｃにおいて実行される処理の一例を示すフローチャートである。このフローチャートの処理は、たとえば、端末１００Ｃのユーザ（図１のユーザ１）と、端末２００Ｃのユーザ（図１のユーザ２）との通話中に実行される。
【０２８０】
まず、先に図３１を参照して説明したステップＳ６０１〜Ｓ６０３と同様の処理が実行される。すなわち、端末１００Ｃにおいて第１の音声を入力する（ステップＳ８０１）。そして、端末１００Ｃは、第１の音声を符号化し（ステップＳ８０２）、符号化系列を送信する（ステップＳ８０３）。
【０２８１】
次に、先に図３１を参照して説明したステップＳ７０１と同様の処理が実行される。すなわち、サーバ６００は、符号化系列を受信する（ステップＳ９０１）。
【０２８２】
次に、サーバ６００は、第１の音声の符号化系列を復号する（ステップＳ９０２ａ）。具体的に、第１音声復号部６２０が、符号化系列Ｃ１を復号し、通話音声Ｖ１とする。
【０２８３】
次に、サーバ６００は、合成指示を生成する（ステップＳ９０２ｂ）。具体的に、合成指示部６３３が合成指示信号ＣＭを発生する。
【０２８４】
次に、先に図３１を参照して説明したステップＳ７０３と同様の処理が実行される。すなわち、サーバ６００は、第３の音声を読み込む（ステップＳ９０２ｃ）。
【０２８５】
次に、先に図３１を参照して説明したステップＳ７０４ｂ〜Ｓ７０４ｄおよびステップＳ７０５と同様の処理が実行される。すなわち、サーバ６００は、復号した第１の音声と第３の音声を合成し（ステップＳ９０２ｄ）、調整処理を実行し（ステップＳ９０２ｅ）、合成した音声を符号化し（ステップＳ９０２ｆ）、符号化系列を送信する（ステップＳ９０３）。なお、サーバ６００が調整処理を行わない構成である場合は、ステップＳ９０２ｅはスキップしてよい。
【０２８６】
また、先に図３１を参照して説明したステップＳ７１１〜Ｓ７１３と同様の処理が実行される。すなわち、サーバ６００は、インセンティブ付与を判断し（ステップＳ９１１）、インセンティブ情報を更新し（ステップＳ９１２）、インセンティブ情報を送信する（ステップＳ９１３）。なお、図３３に示す例では、ステップＳ９１１の処理はステップＳ９０２ｂの処理が完了した後に開始されるが、ステップＳ９１１の処理（およびそれ以降のステップＳ９１２，Ｓ９１３の処理）が実行されるタイミングはとくに限定されるものでない。たとえばステップＳ９０２ｃ〜Ｓ９０３の処理の各々と、ステップＳ９１１以降の処理とは逐次的に実行されてもよく、その際の順序は制約されない。
【０２８７】
次に、先に図３１を参照して説明したステップＳ２０１ａ〜Ｓ２０５の処理が実行される。すなわち、端末２００Ｂは、符号化系列を受信し（ステップＳ２０１ａ）、合成した音声の符号化系列を復号し（ステップＳ２０２）、音声を出力する（ステップＳ２０３）。また、端末２００Ｂは、第２の音声を符号化し（ステップＳ２０４）、符号化系列を送信する（ステップＳ２０５）。
【０２８８】
次に、先に図３１を参照して説明したステップＳ７０６およびステップＳ７０７と同様の処理が実行される。すなわち、サーバ５００は、符号化系列を受信し（ステップＳ９０４）、符号化系列を送信する（ステップＳ９０５）。
【０２８９】
次に、先に図３１を参照して説明したステップＳ５０６〜Ｓ５０８と同様の処理が実行される。すなわち、サーバ５００は、符号化系列を受信し（ステップＳ８０４）、第２の音声の符号化系列を復号し（ステップＳ８０５）、音声を出力する（ステップＳ８０６）。
【０２９０】
また、先に図３１を参照して説明したステップＳ６１１およびステップＳ６１２と同様の処理が実行される。すなわち、端末１００Ｃは、インセンティブ情報を受信し（ステップＳ８１１）、インセンティブ情報を提示する（ステップＳ８１２）。
【０２９１】
次に、通話システム１０Ｃの作用効果について説明する。まず、通話システム１０Ｃでも、通話システム１０（図２）と同様に、音声通話の話者であるユーザ１の通話音声Ｖ１と、通話音声Ｖ１とは異なる第３音声Ｖ３との合成データＢ１３が生成され（ステップＳ９０２ｄ）、合成データＢ１３が出力される（ステップＳ９０３）。これにより、ユーザ１とユーザ２との音声通話に、第３音声Ｖ３が提供される。また、通話システム１０Ｃでも、通話システム１０（図２）と同様に、合成データＢ１３が生成されること（ステップＳ９０２ｂ）に応じて、ユーザ１等にインセンティブが付与される（ステップＳ９１２）。このようにインセンティブが付与されることによって、ユーザ１に、音声通話に第３音声Ｖ３の音を提供するというサービスの利用を促すことが可能になる。
【０２９２】
さらに、通話システム１０Ｃでは、サーバ６００において、合成指示部６３３が、端末１００Ｃから送信される通話音声Ｖ１に基づいて合成指示信号ＣＭを発生する（ステップＳ９０２ｂ）。さらに、第１音声合成部６３１が合成指示信号ＣＭに基づいて第３音声Ｖ３を第３音声保持部６４０から取得する（ステップＳ９０２ｃ）。そして、第１音声合成部６３１が、通話音声Ｖ１および合成指示信号ＣＭに基づいて、第３音声Ｖ３と通話音声Ｖ１との合成データＢ１３を生成し（ステップＳ９０２ｄ）、データ調整部６３２ａが、通話音声Ｖ１および合成データＢ１３を調整するための調整処理を実行し（ステップＳ９０２ｅ）、音声信号符号化部６３２ｂが、データ調整部６３２ａの調整結果を受けて通話音声Ｖ１および合成データＢ１３を符号化して符号化系列Ｃ１３とし（ステップＳ９０２ｆ）、第３音声送信部６５０が、符号化系列Ｃ１３を出力（送信）する（ステップＳ９０３）。通話システム１０Ｃによれば、合成データＢ１３を生成するための合成処理だけでなく合成指示信号ＣＭを発生するための処理もサーバ６００で実行するので、たとえば、端末１００Ｃでそれらの処理を実行する場合よりも、端末１００Ｃにおける第３音声Ｖ３の受信や合成にかかる演算負荷を抑制して使用時間を延ばすことができる。また、合成前に第３音声Ｖ３を送信するために必要な符号化処理に伴う音質低下を避けることができ、これにより高音質なまま第３音声の合成を行うことができる。
【０２９３】
［音声合成部の第１変形例］
サーバ６００において、音声合成部６３０（図３２）の変形例として図１３に示す音声合成部６３０Ａを採用することができる。すなわち、音声合成部６３０Ａは、第３音声符号化部６３２と、合成指示部６３３と、第２音声復号部６３６と、第２音声合成部６３７とを含む。詳細については、先に図１３および図１４を参照して説明した音声合成部１２０Ａと同様であるので、ここでは説明を省略する。
【０２９４】
［音声合成部の第２変形例］
また、サーバ６００において、音声合成部６３０（図３２）の変形例として図１５に示す音声合成部６３０Ｂを採用することもできる。すなわち、音声合成部６３０Ｂは、第１音声合成部６３１と、第３音声符号化部６３２と、合成指示部６３３と、第２音声復号部６３６と、第２音声合成部６３７とを含む。詳細については、先に図１５および図１６を参照して説明した音声合成部１２０Ｂと同様であるので、ここでは説明を省略する。
【０２９５】
［音声合成部の第３変形例］
また、サーバ６００において、音声合成部６３０（図３２）の変形例として図１７に示す音声合成部６３０Ｃを採用することもできる。すなわち、音声合成部６３０Ｃは、第１音声合成部６３１と、第３音声符号化部６３２と、合成指示部６３３と、第２音声復号部６３６と、第２音声合成部６３７とを含む。詳細については、先に図１７および図１８を参照して説明した音声合成部１２０Ｃと同様であるので、ここでは説明を省略する。
【０２９６】
［音声合成部の第４変形例］
また、サーバ５００において、音声合成部６３０（図３２）の変形例として図１９に示す音声合成部６３０Ｄを採用することもできる。すなわち、音声合成部６３０Ｄは、第３音声符号化部６３２と、合成指示部６３３と、第２音声復号部６３６と、第２音声合成部６３７とを含む。詳細については、先に図１９および図２０を参照して説明した音声合成部１２０Ｄと同様であるので、ここでは説明を省略する。
【０２９７】
［音声合成部の第５変形例］
また、サーバ６００において、音声合成部６３０（図３２）の変形例として図２１に示す音声合成部６３０Ｅを採用することもできる。すなわち、音声合成部６３０Ｅは、第１音声合成部６３１と、第３音声符号化部６３２と、第１合成指示部６３３１と、第２合成指示部６３３２と、第２音声復号部６３６と、第２音声合成部６３７とを含む。詳細については、先に図２１および図２２を参照して説明した音声合成部１２０Ｅと同様であるので、ここでは説明を省略する。
【０２９８】
［通話システムの第１変形例］
通話システム１０Ｃも、先に図２３を参照して説明した通話システム１０Ｘと同様の変形例とすることができる。その場合、図３２において、たとえば、インセンティブ付与通知送信部３４０に代えて、インセンティブ付与通知送信部３４０Ｘ（図２３）が採用され、さらに、端末２００Ｂが第２インセンティブ情報受信部２０２および第２インセンティブ情報提示部２０４（図２３）を含むように変形される。インセンティブ付与通知送信部３４０Ｘ、第２インセンティブ情報受信部２０２および第２インセンティブ情報提示部２０４の詳細については、先に図２３および図２４を参照して説明したので、ここでは説明を省略する。
【０２９９】
［通話システムの第２変形例］
また、通話システム１０Ｂも、先に図２５を参照して説明した通話システム１０Ｙと同様の変形例とすることができる。その場合、図３２において、たとえば、インセンティブ付与通知送信部３４０に代えて、インセンティブ付与通知送信部３４０Ｙ（図２５）が採用され、さらに端末２００Ｂが第２インセンティブ情報受信部２０２および第２インセンティブ情報提示部２０４を含むように変形される。インセンティブ付与通知送信部３４０Ｙ、第２インセンティブ情報受信部２０２および第２インセンティブ情報提示部２０４の詳細については、先に図２５および図２６を参照して説明したので、ここでは説明を省略する。
【０３００】
本発明は、上述した実施形態に限定されるものではない。各実施形態および各変形例の特徴部分を適宜組み合わせた構成についても、本発明の実施形態とすることができる。
【符号の説明】
【０３０１】
１０…通話システム、１００，２００…端末、１２０，５３０，６３０…音声合成部、３００，４００，５００，６００…サーバ、３２０…インセンティブ付与部。
【図１】
2016163059.tif 000003
【図２】
2016163059.tif 000004
【図３】
2016163059.tif 000005
【図４】
2016163059.tif 000006
【図５】
2016163059.tif 000007
【図６】
2016163059.tif 000008
【図７】
2016163059.tif 000009
【図８】
2016163059.tif 000010
【図９】
2016163059.tif 000011
【図１０】
2016163059.tif 000012
【図１１】
2016163059.tif 000013
【図１２】
2016163059.tif 000014
【図１３】
2016163059.tif 000015
【図１４】
2016163059.tif 000016
【図１５】
2016163059.tif 000017
【図１６】
2016163059.tif 000018
【図１７】
2016163059.tif 000019
【図１８】
2016163059.tif 000020
【図１９】
2016163059.tif 000021
【図２０】
2016163059.tif 000022
【図２１】
2016163059.tif 000023
【図２２】
2016163059.tif 000024
【図２３】
2016163059.tif 000025
【図２４】
2016163059.tif 000026
【図２５】
2016163059.tif 000027
【図２６】
2016163059.tif 000028
【図２７】
2016163059.tif 000029
【図２８】
2016163059.tif 000030
【図２９】
2016163059.tif 000031
【図３０】
2016163059.tif 000032
【図３１】
2016163059.tif 000033
【図３２】
2016163059.tif 000034
【図３３】
2016163059.tif 000035